(57)【要約】【課題】送信フレームの信号構成を変更することなく、ＭＩＭＯ方式にて復調した信号の誤りを少なくすることができること。【解決手段】連続時間フレーム信号配置部が、同じ周波数帯で時間方向に連続した複数の時間周波数帯域である連続時間フレームの時間周波数帯域各々に、前記参照信号と前記時間周波数帯域各々で異なる前記データ信号と、を配置する。送信処理部が、複数の送信アンテナで同じ周波数帯域を用いて異なる信号を送信する多入力多出力方式にて、前記連続時間フレーム信号配置部が配置したデータ信号を送信する。【選択図】図７
2010178131.tif 000002
【特許請求の範囲】
【請求項１】
移動局装置各々に対する無線リソース割り当て単位である時間周波数帯域各々に、伝搬路推定に用いる参照信号及びデータ信号を配置して送信する移動局装置において、
複数の送信アンテナと、
同じ周波数帯で時間方向に連続した複数の前記時間周波数帯域である連続時間フレームの時間周波数帯域各々に、前記参照信号と前記時間周波数帯域各々で異なる前記データ信号と、を配置する連続時間フレーム信号配置部と、
前記複数の送信アンテナで同じ周波数帯域を用いて異なる信号を送信する多入力多出力方式にて、前記連続時間フレーム信号配置部が配置したデータ信号を送信する送信処理部と、
を備えることを特徴とする移動局装置。
【請求項２】
自装置が用いる前記時間周波数帯域への信号の配置形式を示す制御情報フォーマットを検出する制御情報フォーマット検出部を備え、
前記連続時間フレーム信号配置部は、前記制御情報フォーマット検出部が検出した制御情報フォーマットに基づいて、前記連続時間フレームの時間周波数帯域各々に、前記時間周波数帯域各々で異なる前記データ信号、又は同一の前記データ信号のいずれかを配置することを特徴とする請求項１に記載の移動局装置。
【請求項３】
前記連続時間フレーム信号配置部は、前記制御情報フォーマット検出部が検出した制御情報フォーマットが前記多入力多出力方式の配置形式を示す場合、前記連続時間フレームの時間周波数帯域各々に、前記時間周波数帯域各々で異なる前記データ信号を配置することを特徴とする請求項２に記載の移動局装置。
【請求項４】
前記連続時間フレーム信号配置部は、前記制御情報フォーマット検出部が検出した制御情報フォーマットが前記多入力多出力方式以外の配置形式を示す場合、前記連続時間フレームの前記時間周波数帯域各々に、前記時間周波数帯域各々で同一の前記データ信号を配置することを特徴とする請求項３に記載の移動局装置。
【請求項５】
前記制御情報フォーマット検出部は、前記多入力多出力方式以外の配置形式を示す制御情報フォーマットを検出する第一の監視方式、又は、前記多入力多出力方式の配置形式を示す制御情報フォーマット及び前記多入力多出力方式以外の配置形式を示す制御情報フォーマットを検出する第二の監視方式、のいずれかの監視方式にて制御情報フォーマットを検出し、
前記連続時間フレーム信号配置部は、前記制御情報フォーマット検出部が検出した制御情報フォーマットが前記多入力多出力方式以外の配置形式を示すとき、前記制御情報フォーマット検出部が第一の監視方式にて制御情報フォーマットを検出した場合、前記連続時間フレームの時間周波数帯域各々に前記時間周波数帯域各々で同一の前記データ信号を配置し、前記制御情報フォーマット検出部が第二の監視方式にて制御情報フォーマットを検出した場合、前記連続時間フレームの時間周波数帯域各々に前記時間周波数帯域各々で異なる前記データ信号を配置することを特徴とする請求項３に記載の移動局装置。
【請求項６】
移動局装置各々に対する無線リソース割り当て単位である時間周波数帯域各々に、伝搬路推定に用いる参照信号及びデータ信号を配置して送信する複数の移動局装置と、前記移動局装置から送信された信号を受信する基地局装置と、を具備する無線通信システムにおいて、
前記移動局装置は、
複数の送信アンテナと、
同じ周波数帯で時間方向に連続した複数の前記時間周波数帯域である連続時間フレームの時間周波数帯域各々に、前記参照信号と前記時間周波数帯域各々で異なる前記データ信号と、を配置する連続時間フレーム信号配置部と、
前記複数の送信アンテナで同じ周波数帯域を用いて異なる信号を送信する多入力多出力方式にて、前記連続時間フレーム信号配置部が配置したデータ信号を送信する送信処理部と、
を備え、
前記基地局装置は、
前記連続時間フレームに配置された参照信号を合成して伝搬路推定を行う伝搬路推定部と、
前記伝搬路推定部が推定した伝搬路推定値を用いて、前記連続時間フレームの前記時間周波数帯域各々に配置された前記データ信号であって、多入力多出力方式にて送信されたデータ信号を検出する多入力多出力検出部と、
を備えることを特徴とする無線通信システム。
【請求項７】
前記基地局装置は、
移動局装置各々における前記時間周波数帯域への信号の配置形式を示す制御情報フォーマットを生成する制御情報フォーマット生成部と、
前記制御情報フォーマット生成部が生成した制御情報フォーマットを送信する送信処理部と、
を備え、
前記移動局装置は、
自装置が用いる前記時間周波数帯域への信号の配置形式を示す制御情報フォーマットを検出する制御情報フォーマット検出部を備え、
前記連続時間フレーム信号配置部が、前記制御情報フォーマット検出部が検出した制御情報フォーマットに基づいて、前記連続時間フレームの時間周波数帯域各々に、前記時間周波数帯域各々で異なる前記データ信号、又は同一の前記データ信号のいずれかを配置することを特徴とする請求項６に記載の無線通信システム。
【請求項８】
前記基地局装置は、
前記制御情報フォーマット生成部が、前記多入力多出力方式の配置形式を示す制御情報フォーマット、又は前記多入力多出力方式以外の配置形式を示す制御情報フォーマット、のいずれかの制御情報フォーマットを生成し、
前記移動局装置は、
前記連続時間フレーム信号配置部が、前記制御情報フォーマット検出部が検出した制御情報フォーマットが前記多入力多出力方式の配置形式を示す場合、前記連続時間フレームの時間周波数帯域各々に、前記時間周波数帯域各々で異なる前記データ信号を配置することを特徴とする請求項７に記載の無線通信システム。
【請求項９】
前記移動局装置は、
前記連続時間フレーム信号配置部が、前記制御情報フォーマット検出部が検出した制御情報フォーマットが前記多入力多出力方式以外の配置形式を示す場合、前記連続時間フレームの前記時間周波数帯域各々に、前記時間周波数帯域各々で同一の前記データ信号を配置することを特徴とする請求項８に記載の無線通信システム。
【請求項１０】
前記基地局装置は、
前記移動局装置各々に対して、前記多入力多出力方式以外の配置形式を示す制御情報フォーマットを検出させる第一の監視方式、又は、前記多入力多出力方式の配置形式を示す制御情報フォーマット及び前記多入力多出力方式以外の配置形式を示す制御情報フォーマットを検出させる第二の監視方式、のいずれかの監視方式を示す監視方式情報を送信し、
前記移動局装置は、
前記制御情報フォーマット検出部が、自装置に対して送信された前記監視方式情報が示す監視方式にて制御情報フォーマットを検出し、
前記連続時間フレーム信号配置部が、前記制御情報フォーマット検出部が検出した制御情報フォーマットが前記多入力多出力方式以外の配置形式を示すとき、前記制御情報フォーマット検出部が第一の監視方式にて制御情報フォーマットを検出した場合、前記連続時間フレームの時間周波数帯域各々に前記時間周波数帯域各々で同一の前記データ信号を配置し、前記制御情報フォーマット検出部が第二の監視方式にて制御情報フォーマットを検出した場合、前記連続時間フレームの時間周波数帯域各々に前記時間周波数帯域各々で異なる前記データ信号を配置することを特徴とする請求項８に記載の無線通信システム。
【請求項１１】
移動局装置各々に対する無線リソース割り当て単位である時間周波数帯域各々に、伝搬路推定に用いる参照信号及びデータ信号が配置されて送信された信号を受信する基地局装置において、
同じ周波数帯で時間方向に連続した複数の時間周波数帯域である連続時間フレームの前記時間周波数帯域各々に配置された参照信号を合成して伝搬路推定値を推定する伝搬路推定部と、
前記伝搬路推定部が推定した伝搬路推定値を用いて、前記連続時間フレームの前記時間周波数帯域各々に配置された前記データ信号であって、複数の送信アンテナで同じ周波数帯域を用いて異なる信号を送信する多入力多出力方式にて送信されたデータ信号を検出する多入力多出力検出部と、
を備えることを特徴とする基地局装置。
【請求項１２】
移動局装置各々に対する無線リソース割り当て単位である時間周波数帯域各々に、伝搬路推定に用いる参照信号及びデータ信号を配置して送信する移動局装置における無線送信方法において、
前記移動局装置が、同じ周波数帯で時間方向に連続した複数の時間周波数帯域である連続時間フレームの前記時間周波数帯域各々に、前記参照信号と前記時間周波数帯域各々で異なる前記データ信号と、を配置する第１の過程と、
前記移動局装置が、複数の送信アンテナで同じ周波数帯域を用いて異なる信号を送信する多入力多出力方式にて、前記第１の過程にて配置したデータ信号を送信する第２の過程と、
を有することを特徴とする無線送信方法。
【請求項１３】
移動局装置各々に対する無線リソース割り当て単位である時間周波数帯域各々に、伝搬路推定に用いる参照信号及びデータ信号が配置されて送信された信号を受信する基地局装置における無線受信方法において、
前記基地局装置が、同じ周波数帯で時間方向に連続した複数の時間周波数帯域である連続時間フレームの前記時間周波数帯域各々に配置された参照信号を合成して伝搬路推定値を推定する第１の過程と、
前記基地局装置が、前記第１の過程にて推定した伝搬路推定値を用いて、前記連続時間フレームの前記時間周波数帯域各々に配置された前記データ信号であって、複数の送信アンテナで同じ周波数帯域を用いて異なる信号を送信する多入力多出力方式にて送信されたデータ信号を検出する第２の過程と、
を有することを特徴とする無線受信方法。
【請求項１４】
移動局装置各々に対する無線リソース割り当て単位である時間周波数帯域各々に、伝搬路推定に用いる参照信号及びデータ信号を配置して送信する移動局装置のコンピュータを、
同じ周波数帯で時間方向に連続した複数の時間周波数帯域である連続時間フレームの前記時間周波数帯域各々に、前記参照信号と前記時間周波数帯域各々で異なる前記データ信号と、を配置する連続時間フレームデータ配置手段、
複数の送信アンテナで同じ周波数帯域を用いて異なる信号を送信する多入力多出力方式にて、前記連続時間フレーム信号配置部が配置したデータ信号を送信する送信処理手段、
として機能させる無線送信プログラム。
【請求項１５】
移動局装置各々に対する無線リソース割り当て単位である時間周波数帯域各々に、伝搬路推定に用いる参照信号及びデータ信号が配置されて送信された信号を受信する基地局装置のコンピュータを、
同じ周波数帯で時間方向に連続した複数の時間周波数帯域である連続時間フレームの前記時間周波数帯域各々に配置された参照信号を合成して伝搬路推定値を推定する伝搬路推定手段、
前記伝搬路推定手段にて推定した伝搬路推定値を用いて、前記連続時間フレームの前記時間周波数帯域各々に配置された前記データ信号であって、複数の送信アンテナで同じ周波数帯域を用いて異なる信号を送信する多入力多出力方式にて送信されたデータ信号を検出する多入力多出力検出手段、
として機能させる無線受信プログラム。
【発明の詳細な説明】
【技術分野】
【０００１】
本発明は、移動局装置、無線通信システム、基地局装置、無線送信方法、無線受信方法、無線送信プログラム、及び無線受信プログラムに関する。
【背景技術】
【０００２】
セルラー移動通信の第三世代（３Ｇ）無線アクセス方式として、Ｗ‐ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ；広帯域符号分割多元接続）方式が３ＧＰＰ（３ｒｄ  Ｇｅｎｅｒａｔｉｏｎ  Ｐａｒｔｎｅｒｓｈｉｐ  Ｐｒｏｊｅｃｔ；第３世代パートナーシッププロジェクト）において標準化され、同方式によるセルラー移動通信サービスが開始されている。また、３ＧＰＰにおいて、３Ｇの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ；以下、「ＥＵＴＲＡ」という）及び３Ｇネットワークの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）が検討されている。
【０００３】
ＥＵＴＲＡの下りリンクとして、マルチキャリア送信であるＯＦＤＭ（Ｏｒｔｈｏｇｏｎａｌ  Ｆｒｅｑｕｅｎｃｙ Ｄｉｖｉｓｉｏｎ  Ｍｕｌｔｉｐｌｅｘｉｎｇ；直交周波数分割多重）方式が適用されている。また、ＥＵＴＲＡの上りリンクとして、シングルキャリア送信であるＤＦＴ−Ｓｐｒｅａｄ  ＯＦＤＭ方式（離散フーリエ変換拡散直交周波数分割多重方式）のシングルキャリア通信方式が適用されている。
【０００４】
また、３ＧＰＰにおいて、セルラー移動通信の第四世代（４ｔｈ  Ｇｅｎｅｒａｔｉｏｎ；第４世代、以下、「４Ｇ」という）無線アクセス方式（Ａｄｖａｎｃｅｄ  ＥＵＴＲＡ；以下、「Ａ−ＥＵＴＲＡ」という）および、４Ｇネットワーク（Ａｄｖａｎｃｅｄ  ＥＵＴＲＡＮ）の検討が開始されている。
【０００５】
Ａ−ＥＵＴＲＡでは、ＥＵＴＲＡよりも高速の伝送速度を実現することが検討されており、上りリンクにおいては複数の送受信アンテナを用いて複数のデータ信号を空間多重して送信するＳＵ−ＭＩＭＯ（Ｓｉｎｇｌｅ  Ｕｓｅｒ−Ｍｕｌｔｉｐｌｅ  Ｉｎｐｕｔ  Ｍｕｌｔｉｐｌｅ  Ｏｕｔｐｕｔ：シングルユーザ多入力多出力）方式の適用が検討されている（非特許文献１）。
このＳＵ−ＭＩＭＯ方式を適用した場合、通信装置は、複数の伝搬路推定値を有効に利用することにより空間多重化された複数のデータ信号の復調を行う。
【０００６】
また、Ａ−ＥＵＴＲＡでは、ＥＵＴＲＡとの互換性（ｃｏｍｐａｔｉｂｉｌｉｔｙ）を確保することなどが検討されており、ＥＵＴＲＡに対応した通信装置がＡ−ＥＵＴＲＡでも、そのまま通信をすることができる必要がある。例えば、送信フレームの信号構成は、変更しないことが望ましい。
【先行技術文献】
【非特許文献】
【０００７】
【非特許文献１】３ＧＰＰ  ＴＳＧ  ＲＡＮ  ＷＧ１  ＃５４、Ｊｅｊｕ、Ｋｏｒｅａ、Ａｕｇｕｓｔ  １８−２２、２００８、Ｒ１−０８２９９８“Ｐｒｅｃｏｄｉｎｇ  ｃｏｎｓｉｄｅｒａｔｉｏｎ  ｏｎ  ＬＴＥ−Ａｄｖ  ｕｐｌｉｎｋ”
【発明の概要】
【発明が解決しようとする課題】
【０００８】
しかしながら、送信フレームの信号構成に、そのままＭＩＭＯ（Ｍｕｌｔｉｐｌｅ  Ｉｎｐｕｔ  Ｍｕｌｔｉｐｌｅ  Ｏｕｔｐｕｔ：多入力多出力）方式を適用した場合、品質の高い伝搬路推定をすることができず、ＭＩＭＯ方式にて復調した信号の誤りが多くなるという欠点があった。
【０００９】
本発明は上記の点に鑑みてなされたものであり、その目的は、送信フレームの信号構成を変更することなくＭＩＭＯ方式を適用し、ＭＩＭＯ方式にて復調した信号の誤りを少なくすることができる移動局装置、無線通信システム、基地局装置、無線送信方法、無線受信方法、無線送信プログラム、及び無線受信プログラムを提供することにある。
【課題を解決するための手段】
【００１０】
（１）本発明は上記の課題を解決するためになされたものであり、本発明は、移動局装置各々に対する無線リソース割り当て単位である時間周波数帯域各々に、伝搬路推定に用いる参照信号及びデータ信号を配置して送信する移動局装置において、複数の送信アンテナと、同じ周波数帯で時間方向に連続した複数の前記時間周波数帯域である連続時間フレームの時間周波数帯域各々に、前記参照信号と前記時間周波数帯域各々で異なる前記データ信号と、を配置する連続時間フレームデータ配置部と、前記複数の送信アンテナで同じ周波数帯域を用いて異なる信号を送信する多入力多出力方式にて、前記連続時間フレームデータ配置部が配置したデータ信号を送信する送信処理部と、を備えることを特徴とする移動局装置である。
上記構成によると、前記移動局装置が前記連続時間フレームの時間周波数帯域各々に前記時間周波数帯域各々で異なる前記データ信号を配置し、配置したデータ信号を多入力多出力方式にて送信する。これにより、前記移動局装置が送信した信号を受信した基地局装置は、前記連続時間フレームに配置された参照信号を合成して伝搬路推定を行い、参照信号を合成しない場合と比較して、ノイズ等が少なく精度の高い伝搬路推定を行うことができ、ＭＩＭＯ方式（多入力多出力方式）にて復調した信号の誤りを少なくすることができる。また、基地局装置は、時間方向に連続しない時間周波数帯域の参照信号を合成した場合と比較して、伝搬路特性の時間変動が少ないため、精度の高い伝搬路推定を行うことができる。
また、移動局装置は、連続時間フレームの時間周波数帯域各々に前記時間周波数帯域各々で同一の前記データ信号を配置する場合と比較して、伝送効率の高い送信をすることができる。また、移動局装置は、既存の時間周波数帯域に参照信号及びデータ信号を配置するので、送信フレームの信号構成を変更しなくても信号を送信することができる。つまり、前記移動局装置は、送信フレームの信号構成を変更することなく、ＭＩＭＯ方式にて復調した信号の誤りを少なくすることができる。
【００１１】
（２）また、本発明は、上記の移動局装置において、自装置が用いる前記時間周波数帯域への信号の配置形式を示す制御情報フォーマットを検出する制御情報フォーマット検出部を備え、前記連続時間フレームデータ配置部は、前記制御情報フォーマット検出部が検出した制御情報フォーマットに基づいて、前記連続時間フレームの時間周波数帯域各々に、前記時間周波数帯域各々で異なる前記データ信号、又は同一の前記データ信号のいずれかを配置することを特徴とする。
上記構成によると、前記移動局装置が前記制御情報フォーマットを検出し、検出した制御情報フォーマットに基づいて、前記連続時間フレームの時間周波数帯域各々に、前記時間周波数帯域各々で異なる前記データ信号、又は同一の前記データ信号のいずれかを配置する。これにより、基地局装置は、同一の前記データ信号が配置された場合、同一の前記データ信号を合成し、前記データ信号を合成しない場合と比較して、ノイズ等が少なく受信品質の高いデータ信号を検出することができる。また、基地局装置は、例えば、前記移動局装置の伝搬路状況、つまり、前記移動局装置からの信号の受信品質に応じて、前記データ信号の伝送効率が高い配置、又は前記データ信号の受信品質の高い配置のいずれかを設定することができる。
【００１２】
（３）また、本発明は、上記の移動局装置において、前記連続時間フレームデータ配置部は、前記制御情報フォーマット検出部が検出した制御情報フォーマットが前記多入力多出力方式の配置形式を示す場合、前記連続時間フレームの時間周波数帯域各々に、前記時間周波数帯域各々で異なる前記データ信号を配置することを特徴とする。
【００１３】
（４）また、本発明は、上記の移動局装置において、前記連続時間フレームデータ配置部は、前記制御情報フォーマット検出部が検出した制御情報フォーマットが前記多入力多出力方式以外の配置形式を示す場合、前記連続時間フレームの前記時間周波数帯域各々に、前記時間周波数帯域各々で同一の前記データ信号を配置することを特徴とする。
【００１４】
（５）また、本発明は、上記の移動局装置において、前記制御情報フォーマット検出部は、前記多入力多出力方式以外の配置形式を示す制御情報フォーマットを検出する第一の監視方式、又は、前記多入力多出力方式の配置形式を示す制御情報フォーマット及び前記多入力多出力方式以外の配置形式を示す制御情報フォーマットを検出する第二の監視方式、のいずれかの監視方式にて制御情報フォーマットを検出し、前記連続時間フレームデータ配置部は、前記制御情報フォーマット検出部が検出した制御情報フォーマットが前記多入力多出力方式以外の配置形式を示すとき、前記制御情報フォーマット検出部が第一の監視方式にて制御情報フォーマットを検出した場合、前記連続時間フレームの時間周波数帯域各々に前記時間周波数帯域各々で同一の前記データ信号を配置し、前記制御情報フォーマット検出部が第二の監視方式にて制御情報フォーマットを検出した場合、前記連続時間フレームの時間周波数帯域各々に前記時間周波数帯域各々で異なる前記データ信号を配置することを特徴とする。
【００１５】
（６）また、本発明は、移動局装置各々に対する無線リソース割り当て単位である時間周波数帯域各々に、伝搬路推定に用いる参照信号及びデータ信号を配置して送信する複数の移動局装置と、前記移動局装置から送信された信号を受信する基地局装置と、を具備する無線通信システムにおいて、前記移動局装置は、複数の送信アンテナと、同じ周波数帯で時間方向に連続した複数の前記時間周波数帯域である連続時間フレームの時間周波数帯域各々に、前記参照信号と前記時間周波数帯域各々で異なる前記データ信号と、を配置する連続時間フレームデータ配置部と、前記複数の送信アンテナで同じ周波数帯域を用いて異なる信号を送信する多入力多出力方式にて、前記連続時間フレームデータ配置部が配置したデータ信号を送信する送信処理部と、を備え、前記基地局装置は、前記連続時間フレームに配置された参照信号を合成して伝搬路推定を行う伝搬路推定部と、前記伝搬路推定部が推定した伝搬路推定値を用いて、前記連続時間フレームの前記時間周波数帯域各々に配置された前記データ信号であって、多入力多出力方式にて送信されたデータ信号を検出する多入力多出力検出部と、を備えることを特徴とする無線通信システムである。
【００１６】
（７）また、本発明は、上記の無線通信システムにおいて、前記基地局装置は、移動局装置各々における前記時間周波数帯域への信号の配置形式を示す制御情報フォーマットを生成する制御情報フォーマット生成部と、前記制御情報フォーマット生成部が生成した制御情報フォーマットを送信する送信処理部と、を備え、前記移動局装置は、自装置が用いる前記時間周波数帯域への信号の配置形式を示す制御情報フォーマットを検出する制御情報フォーマット検出部を備え、前記連続時間フレームデータ配置部が、前記制御情報フォーマット検出部が検出した制御情報フォーマットに基づいて、前記連続時間フレームの時間周波数帯域各々に、前記時間周波数帯域各々で異なる前記データ信号、又は同一の前記データ信号のいずれかを配置することを特徴とする。
【００１７】
（８）また、本発明は、上記の無線通信システムにおいて、前記基地局装置は、前記制御情報フォーマット生成部が、前記多入力多出力方式の配置形式を示す制御情報フォーマット、又は前記多入力多出力方式以外の配置形式を示す制御情報フォーマット、のいずれかの制御情報フォーマットを生成し、前記移動局装置は、前記連続時間フレームデータ配置部が、前記制御情報フォーマット検出部が検出した制御情報フォーマットが前記多入力多出力方式の配置形式を示す場合、前記連続時間フレームの時間周波数帯域各々に、前記時間周波数帯域各々で異なる前記データ信号を配置することを特徴とする。
【００１８】
（９）また、本発明は、上記の無線通信システムにおいて、前記移動局装置は、前記連続時間フレームデータ配置部が、前記制御情報フォーマット検出部が検出した制御情報フォーマットが前記多入力多出力方式以外の配置形式を示す場合、前記連続時間フレームの前記時間周波数帯域各々に、前記時間周波数帯域各々で同一の前記データ信号を配置することを特徴とする。
【００１９】
（１０）また、本発明は、上記の無線通信システムにおいて、前記基地局装置は、前記移動局装置各々に対して、前記多入力多出力方式以外の配置形式を示す制御情報フォーマットを検出させる第一の監視方式、又は、前記多入力多出力方式の配置形式を示す制御情報フォーマット及び前記多入力多出力方式以外の配置形式を示す制御情報フォーマットを検出させる第二の監視方式、のいずれかの監視方式を示す監視方式情報を送信し、前記移動局装置は、前記制御情報フォーマット検出部が、自装置に対して送信された前記監視方式情報が示す監視方式にて制御情報フォーマットを検出し、前記連続時間フレームデータ配置部が、前記制御情報フォーマット検出部が検出した制御情報フォーマットが前記多入力多出力方式以外の配置形式を示すとき、前記制御情報フォーマット検出部が第一の監視方式にて制御情報フォーマットを検出した場合、前記連続時間フレームの時間周波数帯域各々に前記時間周波数帯域各々で同一の前記データ信号を配置し、前記制御情報フォーマット検出部が第二の監視方式にて制御情報フォーマットを検出した場合、前記連続時間フレームの時間周波数帯域各々に前記時間周波数帯域各々で異なる前記データ信号を配置することを特徴とする。
【００２０】
（１１）また、本発明は、移動局装置各々に対する無線リソース割り当て単位である時間周波数帯域各々に、伝搬路推定に用いる参照信号及びデータ信号が配置されて送信された信号を受信する基地局装置において、同じ周波数帯で時間方向に連続した複数の時間周波数帯域である連続時間フレームの前記時間周波数帯域各々に配置された参照信号を合成して伝搬路推定値を推定する伝搬路推定部と、前記伝搬路推定部が推定した伝搬路推定値を用いて、前記連続時間フレームの前記時間周波数帯域各々に配置された前記データ信号であって、複数の送信アンテナで同じ周波数帯域を用いて異なる信号を送信する多入力多出力方式にて送信されたデータ信号を検出する多入力多出力検出部と、を備えることを特徴とする基地局装置である。
【００２１】
（１２）また、本発明は、移動局装置各々に対する無線リソース割り当て単位である時間周波数帯域各々に、伝搬路推定に用いる参照信号及びデータ信号を配置して送信する移動局装置における無線送信方法において、前記移動局装置が、同じ周波数帯で時間方向に連続した複数の時間周波数帯域である連続時間フレームの前記時間周波数帯域各々に、前記参照信号と前記時間周波数帯域各々で異なる前記データ信号と、を配置する第１の過程と、前記移動局装置が、複数の送信アンテナで同じ周波数帯域を用いて異なる信号を送信する多入力多出力方式にて、前記第１の過程にて配置したデータ信号を送信する第２の過程と、を有することを特徴とする無線送信方法である。
【００２２】
（１３）また、本発明は、移動局装置各々に対する無線リソース割り当て単位である時間周波数帯域各々に、伝搬路推定に用いる参照信号及びデータ信号が配置されて送信された信号を受信する基地局装置における無線受信方法において、前記基地局装置が、同じ周波数帯で時間方向に連続した複数の時間周波数帯域である連続時間フレームの前記時間周波数帯域各々に配置された参照信号を合成して伝搬路推定値を推定する第１の過程と、前記基地局装置が、前記第１の過程にて推定した伝搬路推定値を用いて、前記連続時間フレームの前記時間周波数帯域各々に配置された前記データ信号であって、複数の送信アンテナで同じ周波数帯域を用いて異なる信号を送信する多入力多出力方式にて送信されたデータ信号を検出する第２の過程と、を有することを特徴とする無線受信方法である。
【００２３】
（１４）また、本発明は、移動局装置各々に対する無線リソース割り当て単位である時間周波数帯域各々に、伝搬路推定に用いる参照信号及びデータ信号を配置して送信する移動局装置のコンピュータを、同じ周波数帯で時間方向に連続した複数の時間周波数帯域である連続時間フレームの前記時間周波数帯域各々に、前記参照信号と前記時間周波数帯域各々で異なる前記データ信号と、を配置する連続時間フレームデータ配置手段、複数の送信アンテナで同じ周波数帯域を用いて異なる信号を送信する多入力多出力方式にて、前記連続時間フレームデータ配置部が配置したデータ信号を送信する送信処理手段、として機能させる無線送信プログラムである。
【００２４】
（１５）また、本発明は、移動局装置各々に対する無線リソース割り当て単位である時間周波数帯域各々に、伝搬路推定に用いる参照信号及びデータ信号が配置されて送信された信号を受信する基地局装置のコンピュータを、同じ周波数帯で時間方向に連続した複数の時間周波数帯域である連続時間フレームの前記時間周波数帯域各々に配置された参照信号を合成して伝搬路推定値を推定する伝搬路推定手段、前記伝搬路推定手段にて推定した伝搬路推定値を用いて、前記連続時間フレームの前記時間周波数帯域各々に配置された前記データ信号であって、複数の送信アンテナで同じ周波数帯域を用いて異なる信号を送信する多入力多出力方式にて送信されたデータ信号を検出する多入力多出力検出手段、として機能させる無線受信プログラムである。
【発明の効果】
【００２５】
本発明によれば、移動局装置が連続時間フレームの時間周波数帯域各々に時間周波数帯域各々で異なるデータ信号を配置し、配置したデータ信号を多入力多出力方式にて送信するので、送信フレームの信号構成を変更することなく、ＭＩＭＯ方式にて復調した信号の誤りを少なくすることができる。
【図面の簡単な説明】
【００２６】
【図１】この発明の第１の実施形態に係る無線通信システムの全体像についての概略を説明する図である。
【図２】本実施形態に係る基地局装置から移動局装置への下りリンク無線フレームの概略構成を示す図である。
【図３】本実施形態に係る移動局装置から基地局装置への上りリンク無線フレームの概略構成を示す図である。
【図４】本実施形態に係る基地局装置の構成を示す概略ブロック図である。
【図５】本実施形態に係る基地局装置の送信処理部の構成を示す概略ブロック図である。
【図６】本実施形態に係る基地局装置の受信処理部の構成を示す概略ブロック図である。
【図７】本実施形態に係る移動局装置の構成を示す概略ブロック図である。
【図８】本実施形態に係る移動局装置の受信処理部の構成を示す概略ブロック図である。
【図９】本実施形態に係る移動局装置の送信処理部の構成を示す概略ブロック図である。
【図１０】本実施形態に係る連続時間フレーム送信モードにおける情報データの配置の一例を説明する図である。
【図１１】本実施形態に係る移動局装置における上りリンク共有データチャネルの送信動作の一例を示すフロー図である。
【発明を実施するための形態】
【００２７】
（実施形態）
以下、図面を参照しながら本発明の実施形態について詳しく説明する。まず、図１、図２、図３を用いて、本実施形態に係る無線通信システム１の全体像、及び無線フレームの構成について説明をする。
【００２８】
＜無線通信システム１の全体像＞
図１は、この発明の第１の実施形態に係る無線通信システム１の全体像についての概略を説明する図である。
この図が示す無線通信システム１では、基地局装置ＢＳ１と、複数の移動局装置ＵＥ１、ＵＥ２、ＵＥ３とが無線通信を行う。なお、移動局装置ＵＥ１、ＵＥ２、及び基地局装置ＢＳ１は、それぞれ、２本の送信アンテナを備えるが、本発明はこれに限らず、３本以上であってもよい。
【００２９】
また、この図は、基地局装置ＢＳ１から移動局装置ＵＥ１、ＵＥ２、ＵＥ３への無線通信の下りリンクが、下りリンクパイロットチャネル、下りリンク制御チャネル、及び下りリンク共有データチャネルを含んで構成されることを示す。また、この図は、移動局装置ＵＥ１、ＵＥ２、ＵＥ３から基地局装置ＢＳ１への無線通信の上りリンクが、上りリンク共有データチャネル、上りリンクパイロットチャネル、及び上りリンク制御チャネルを含んで構成されることを示す。
なお、移動局装置ＵＥ３は、ＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ；３Ｇの進化）に対応した移動局装置であり、ＭＩＭＯ（Ｍｕｌｔｉｐｌｅ  Ｉｎｐｕｔ  Ｍｕｌｔｉｐｌｅ  Ｏｕｔｐｕｔ：多入力多出力）方式には対応していない移動局装置である。一方、移動局装置ＵＥ１、ＵＥ２は、Ａ−ＥＵＴＲＡ（Ａｄｖａｎｃｅｄ  ＥＵＴＲＡ）に対応した移動局装置であり、複数アンテナを有してＭＩＭＯ方式に対応した移動局装置である。本実施形態では、ＥＵＴＲＡの送信フレームの信号構成を変更せずにＡ−ＥＵＴＲＡの送信フレームの信号構成に適用する。これにより、移動局装置ＵＥ１、ＵＥ２、ＵＥ３は、同じ送信フレームの信号構成にて基地局装置ＢＳ１と通信をすることができる。
以下、本実施形態において、基地局装置ＢＳ１を基地局装置ａ１といい、移動局装置ＵＥ１、ＵＥ２を移動局装置ｂ１という。
【００３０】
＜下りリンク無線フレームの構成＞
図２は、本実施形態に係る基地局装置ａ１から移動局装置ｂ１への下りリンク無線フレームの概略構成を示す図である。この図において、横軸は時間領域、縦軸は周波数領域を表している。
【００３１】
下りリンク無線フレームは、下りリンクリソースブロックペアから構成される。この下りリンクリソースブロックペアは、無線リソース割り当てなどの単位であって、予め決められた幅の周波数帯および時間帯からなる。１個の下りリンクリソースブロックペアは時間領域で連続する２個の下りリンクリソースブロックから構成される。
また、この図において、１個の下りリンクリソースブロックは、周波数領域において１２個の下りリンクサブキャリアから構成され、時間領域において７個のＯＦＤＭシンボルから構成される。下りリンクシステム帯域幅は、基地局装置の下りリンクの通信帯域幅である。
【００３２】
また、この図において、時間領域には、７個のＯＦＤＭシンボルから構成される下りリンクスロット、２個の下りリンクスロットから構成される下りリンクサブフレーム、１０個の下りリンクサブフレームから構成される下りリンク無線フレームがある。なお、時間方向については、１個の下りリンクサブフレームが、下りリンクの無線リソース割り当て単位の時間フレームである。また、１個の下りリンクサブキャリアと１個のＯＦＤＭシンボルから構成されるユニットを下りリンクリソースエレメントと呼ぶ。また、下りリンク無線フレームでは下りリンクシステム帯域幅に応じて周波数方向に複数の下りリンクリソースブロックが配置される。
【００３３】
各下りリンクサブフレームには少なくとも、情報データの送信に用いる下りリンク共有データチャネル、制御データの送信に用いる下りリンク制御チャネルが配置される。この図において図示は省略するが、下りリンク共有データチャネル及び下りリンク制御チャネルの伝搬路推定に用いる下りリンクパイロットチャネルが複数の下りリンクリソースエレメントに分散して配置される（下りリンクパイロットチャネルの信号を下りリンク参照信号と称す。）。この図では、下りリンク制御チャネルは下りリンクサブフレームの１番目と２番目と３番目のＯＦＤＭシンボルに配置され、下りリンク共有データチャネルはその他のＯＦＤＭシンボルに配置された場合を示しているが、下りリンク制御チャネルが配置されるＯＦＤＭシンボルは下りリンクサブフレーム単位で変化する。
【００３４】
下りリンク制御チャネルには、複数種類の制御情報フォーマットの制御情報が配置される。制御情報フォーマットとは、上りリンクまたは下りリンクリソースブロックペアへの信号の配置形式を示す情報である。制御フォーマットの種類としては、下りリンク共有データチャネルの受信信号の配置形式を示す制御情報フォーマット、上りリンク共有データチャネルの送信信号の配置形式を示す制御情報フォーマットなどが含まれる。上りリンク共有データチャネルの送信方式としては、複数アンテナを用いて信号を空間多重して送信する送信方式であるＭＩＭＯ方式、単一アンテナを用いて信号を送信する送信方式である非ＭＩＭＯ方式があり、送信方式の違いにより送信信号の配置形式が異なる。つまり、送信方式がＭＩＭＯ方式の場合と非ＭＩＭＯ方式の場合では、制御情報フォーマットが異なる（前者の場合の制御情報フォーマットをＭＩＭＯ方式の制御情報フォーマットといい、後者の場合の制御情報フォーマットを非ＭＩＭＯ方式の制御情報フォーマットという）。なお、上りリンク共有データチャネルの送信信号の配置形式を示す制御情報フォーマットには、ＭＩＭＯ方式において用いる信号処理の重み付けに関する情報が含まれる。基地局装置ａ１は、移動局装置ｂ１より受信した信号に基づいて適した重みを検出する。
【００３５】
＜上りリンク無線フレームの構成＞
図３は、本実施形態に係る移動局装置ｂ１から基地局装置ａ１への上りリンク無線フレームの概略構成を示す図である。この図において、横軸は時間領域、縦軸は周波数領域を表している。
上りリンク無線フレームは、上りリンクリソースブロックペア（時間周波数帯域）から構成される。この上りリンクリソースブロックペアは、移動局装置ｂ１各々に対する無線リソース割り当て単位であり、予め決められた幅の周波数帯および時間帯からなる。１個の上りリンクリソースブロックペアは、時間領域で連続する２個の上りリンクリソースブロックから構成される。
【００３６】
また、この図において、１個の上りリンクリソースブロックは、周波数領域において１２個の上りリンクサブキャリアから構成され、時間領域において７個のＳＣ−ＦＤＭＡシンボルから構成される。上りリンクシステム帯域幅は、基地局装置の上りリンクの通信帯域幅である。
【００３７】
また、この図において、時間領域には、７個のＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ；シングルキャリア周波数分割多元接続）シンボルから構成される上りリンクスロット、２個の上りリンクスロットから構成される上りリンクサブフレーム、１０個の上りリンクサブフレームから構成される上りリンク無線フレームがある。なお、時間方向については、１個の上りリンクサブフレームが、上りリンクの移動局装置ｂ１各々に対する無線リソース割り当て単位の時間フレームである。また、１個の上りリンクサブキャリアと１個のＳＣ−ＦＤＭＡシンボルから構成されるユニットを上りリンクリソースエレメントと呼ぶ。また、上りリンク無線フレームでは上りリンクシステム帯域幅に応じて複数の上りリンクリソースブロックが配置される。
【００３８】
各上りリンクサブフレームには少なくとも、情報データの送信に用いる上りリンク共有データチャネル、制御データの送信に用いる上りリンク制御チャネルが配置される。
上りリンク制御チャネルは、下りリンクの受信品質指標からなる制御データ（受信品質指標データという）を送信する場合と、下りリンク共有データチャネルに対する受信応答情報ＡＣＫ／ＮＡＣＫ（Ａｃｋｎｏｗｌｅｄｇｅｍｅｎｔ／Ｎｅｇａｔｉｖｅ−Ａｃｋｎｏｗｌｅｄｇｅｍｅｎｔ）からなる制御データ（受信応答情報データという）を送信する場合と、で異なる種類の上りリンク制御チャネルが用いられる。また、上りリンク制御チャネルに用いる上りリンクリソースブロックペアは、上りリンクシステム帯域幅の帯域の両端の上りリンクリソースブロックペアであり、周波数領域に対称関係にある上りリンクリソースブロックから構成される。
【００３９】
上りリンク共有データチャネル及び上りリンク制御チャネルの伝搬路推定に用いる上りリンクパイロットチャネルは、上りリンク共有データチャネルと同じ上りリンクリソースブロック内に配置（共有データチャネル配置という）される場合と、上りリンク制御チャネルと同じ上りリンクリソースブロック内に配置（制御チャネル配置という）される場合と、で異なるＳＣ−ＦＤＭＡシンボルに配置される（上りリンクパイロットチャネルの信号を上りリンク参照信号と称す。）。
【００４０】
具体的には、共有データチャネル配置の場合、上りリンクパイロットチャネルは、上りリンクスロット内の４番目のＳＣ−ＦＤＭＡシンボルに配置される。
また、受信品質指標データが配置される上りリンクリソースブロック内の制御チャネル配置の場合、上りリンクパイロットチャネルは、上りリンクスロット内の２番目と６番目のＳＣ−ＦＤＭＡシンボルに配置される。また、受信応答情報データが配置される上りリンクリソースブロック内の制御チャネル配置の場合、上りリンクパイロットチャネルは、上りリンクスロット内の３番目と４番目と５番目のＳＣ−ＦＤＭＡシンボルに配置される。
【００４１】
なお、この図では、上りリンク制御チャネルが上りリンクシステム帯域の最も端の上りリンクリソースブロックに配置された場合を示しているが、上りリンクシステム帯域の端から２番目、３番目などの上りリンクリソースブロックが上りリンク制御チャネルに用いられる場合もある。
【００４２】
＜基地局装置ａ１の構成＞
以下、図４、図５、図６を用いて、本実施形態に係る基地局装置ａ１の構成について説明する。
図４は、本実施形態に係る基地局装置ａ１の構成を示す概略ブロック図である。この図に示すように、基地局装置ａ１は、受信処理部ａ１１、無線リソース制御部ａ１２、制御部ａ１３、及び、送信処理部ａ１４を含んで構成される。
無線リソース制御部ａ１２は、送信モード決定部ａ１２１及び制御情報フォーマット生成部ａ１２２を備える。制御部ａ１３は、参照信号合成指示部ａ１３１を備える。
【００４３】
受信処理部ａ１１は、制御部ａ１３の指示に従い、後述する受信アンテナａ１１１−１、ａ１１１−２により移動局装置ｂ１又は移動局装置ＵＥ３から受信した受信信号であって、上りリンク制御チャネル及び上りリンク共有データチャネルの受信信号を復調、復号して、制御データ及び情報データを抽出する。受信処理部ａ１１は、抽出した制御データを制御部ａ１３に出力し、情報データを上位層に出力する。
【００４４】
受信処理部ａ１１は、制御部ａ１３の参照信号合成指示部ａ１３１の指示に従い、１個の上りリンクリソースブロックペア内の上りリンクパイロットチャネルの信号（以下、上りリンク参照信号という）、又は、同じ周波数帯で時間方向に連続した複数の上りリンクリソースブロックペア内の上りリンク参照信号を用いて伝搬路推定値を算出する。以下、同じ周波数帯で時間方向に連続した複数の上りリンクリソースブロックペアを連続時間フレームという。
また、受信処理部ａ１１は、制御部ａ１３の指示に従い、移動局装置ｂ１各々について伝搬路等化処理又はＭＩＭＯ検出処理を行う。
受信処理部ａ１１の詳細については、後述する。
【００４５】
無線リソース制御部ａ１２は、移動局装置ｂ１への下りリンク制御チャネル、上りリンク制御チャネル、下りリンク共有データチャネル、上りリンク共有データチャネルの無線リソース割り当てを行う（スケジューリング）。また、無線リソース制御部ａ１２は、下りリンク共有データチャネル、上りリンク共有データチャネルの符号化率・変調方式を選択する。
【００４６】
無線リソース制御部ａ１２の送信モード決定部ａ１２１は、移動局装置がＭＩＭＯ方式に対応した移動局装置ｂ１であるか否か（Ａ−ＥＵＴＲＡに対応した移動局装置ｂ１であるか否か）を、移動局装置ｂ１又は移動局装置ＵＥ３から送信された制御データにより判定する。
送信モード決定部ａ１２１は、移動局装置ｂ１がＭＩＭＯ方式に対応した移動局装置ｂ１と判定した場合、この移動局装置ｂ１の伝搬路推定値に基づき、この移動局装置ｂ１の送信モードを決定する。以下、送信モードについて説明をする。
【００４７】
送信モードには、移動局装置ｂ１が連続時間フレーム単位で信号を送信するか否か、及び、移動局装置ｂ１がＭＩＭＯ方式による通信を行うか否か、の４通りの組み合わせがある。ここで、連続時間フレーム単位で信号を送信する場合を「連続時間フレーム送信モード」という。また、連続時間フレーム送信モードのとき、ＭＩＭＯ方式による通信を行う場合を「連続時間−ＭＩＭＯモード」といい、ＭＩＭＯ方式による通信を行わない場合（単一のアンテナで通信を行う場合）を「連続時間−非ＭＩＭＯモード」という。
また、連続時間フレーム単位で信号を送信しない場合（移動局装置ｂ１が１個のリソースブロックペア単位で信号を送信する場合）を「単一時間フレーム送信モード」という。また、単一時間フレーム送信モードのとき、ＭＩＭＯ方式による通信を行う場合を「単一時間−ＭＩＭＯモード」といい、ＭＩＭＯ方式による通信を行わない場合を「単一時間−非ＭＩＭＯモード」という。
【００４８】
送信モード決定部ａ１２１は、伝搬路推定値に基づく上りリンクの受信品質の閾値ｈ１〜ｈ３（ｈ１＜ｈ２＜ｈ３）に応じて、以下のように送信モードを決定する。
送信モード決定部ａ１２１は、閾値がｈ１以下の場合、つまり、移動局装置ｂ１の伝搬路状態が最も悪い場合、送信モードを「連続時間−非ＭＩＭＯモード」に決定する。また、送信モード決定部ａ１２１は、閾値がｈ１より大きくｈ２以下の場合、「単一時間−非ＭＩＭＯモード」に決定する。また、送信モード決定部ａ１２１は、閾値がｈ２より大きくｈ３以下の場合、「連続時間−ＭＩＭＯモード」に決定する。また、送信モード決定部ａ１２１は、閾値がｈ３より大きい場合、つまり、移動局装置ｂ１の伝搬路状態が最も良い場合、「単一時間−ＭＩＭＯモード」に決定する。
このように、送信モード決定部ａ１２１は、移動局装置ｂ１の伝搬路状態が良い場合、単一時間フレーム送信モード又はＭＩＭＯ方式による通信に決定し、移動局装置ｂ１の伝搬路状態が悪い場合、連続時間フレーム送信モード又は非ＭＩＭＯ方式による通信を決定する。
【００４９】
送信モード決定部ａ１２１は、決定した送信モードを制御情報フォーマット生成部ａ１２２および参照信号合成指示部ａ１３１に出力する。また、送信モード決定部ａ１２１は、送信モードが連続時間フレーム送信モード、又は単一時間フレーム送信モードのいずれであるかを示す情報データを、送信モードを示す制御データとして制御部ａ１３に出力する。
【００５０】
なお、本実施形態では、送信モード決定部ａ１２１は、伝搬路推定値に基づき送信モードを決定しているが、上りリンクの信号に高い受信品質を求めるときは、初期設定を連続時間フレーム送信モードとして、上りリンクの無線リソースの割り当て量が多くなった場合にのみ単一時間送信モードを決定してもよい。
【００５１】
なお、基地局装置ａ１は、連続時間フレーム送信モードの場合、１個の連続時間フレーム（２個以上の上りリンクリソースブロックペア）に対して１個の制御データを送信する。これにより、無線通信システム１は、単一時間フレーム送信モードの場合、つまり、１個の上りリンクリソースブロックペアに対して１個の制御データを送信する場合と比較して、制御データの生成、送信のための処理負荷及び制御データの通信容量を削減することができる。
【００５２】
また、無線リソース制御部ａ１２の制御情報フォーマット生成部ａ１２２は、移動局装置ｂ１各々における上りリンクリソースブロックペアへの信号の配置形式を示す制御情報フォーマットを生成する。ここで、制御情報フォーマット生成部ａ１２２は、送信モード決定部ａ１２１から入力された送信モードが「連続時間−ＭＩＭＯモード」である場合と、「連続時間−非ＭＩＭＯモード」である場合とで、信号の配置形式が異なる制御情報フォーマットを生成する。これらの制御情報フォーマットの詳細については、後述する（図１０）。
制御情報フォーマット生成部ａ１２２は、生成した制御情報フォーマットを、制御データとして制御部ａ１３に出力する。
【００５３】
また、無線リソース制御部ａ１２は、移動局装置ｂ１各々の送信電力、間欠送受信サイクル、受信品質指標の送信周期、変調方式・符号化率などを含む無線リソース制御情報を管理する。
無線リソース制御部ａ１２は、無線リソース制御情報を、送信処理部ａ１４を介して、移動局装置ｂ１に送信する。
【００５４】
制御部ａ１３は、無線リソース制御部ａ１２から入力された制御データに、下りリンク制御チャネルを用いて送信するための処理を施し、送信処理部ａ１４に出力する。
また、制御部ａ１３は、無線リソース制御部ａ１２から入力された無線リソース制御情報、制御データに基づき、下りリンク共有データチャネルの無線リソース割り当ての制御、変調方式及び符号化率の制御を送信処理部ａ１４に対して行なう。
【００５５】
また、制御部ａ１３は、無線リソース制御部ａ１２から入力された無線リソース制御情報、制御データに基づき、上りリンク共有データチャネルの無線リソース割り当ての制御、変調方式及び符号化率の制御を受信処理部ａ１１に対して行なう。
ここで、制御部ａ１３は、制御情報フォーマット生成部ａ１２２がＭＩＭＯ方式の制御情報フォーマットを生成した場合、受信処理部ａ１１にＭＩＭＯ検出処理をさせる制御（ＭＩＭＯ検出処理制御という）を行う。一方、その他の場合、制御部ａ１３は、受信処理部ａ１１に伝搬路等化処理をさせる制御（伝搬路等化処理制御という）を行う。
【００５６】
制御部ａ１３の参照信号合成指示部ａ１３１は、送信モード決定部ａ１２１から入力された送信モードが連続時間フレーム送信モードである場合、この連続時間フレーム内の上りリンク参照信号を合成して伝搬路推定値を算出する指示（以下、参照信号合成指示という）を、受信処理部ａ１１の参照信号合成部ａ１１４１（図示せず）に出力する。
一方、参照信号合成指示部ａ１３１は、送信モード決定部ａ１２１から入力された送信モードが単一時間フレーム送信モードである場合、１個の上りリンクリソースブロックペア内の上りリンク参照信号を用いて伝搬路推定値を算出する指示を、受信処理部ａ１１に出力する。
【００５７】
送信処理部ａ１４は、制御部ａ１３から入力された制御情報に基づき下りリンク制御チャネル、下りリンク共有データチャネルを生成して送信する。
送信処理部ａ１４の詳細については、後述する。
【００５８】
＜基地局装置ａ１の送信処理部ａ１４の構成＞
以下、基地局装置ａ１の送信処理部ａ１４の詳細について説明をする。
図５は、本実施形態に係る基地局装置ａ１の送信処理部ａ１４の構成を示す概略ブロック図である。
【００５９】
この図に示すように、送信処理部ａ１４は、複数の下りリンク共有データチャネル処理部ａ１４１−１〜ａ１４１−ｍ、複数の下りリンク制御チャネル処理部ａ１４２−１〜ａ１４２−ｎ、下りリンクパイロットチャネル処理部ａ１４３、多重部ａ１４４、２個の送信部ａ１４５−１、ａ１４５−２、及び、送信アンテナａ１４６−１、ａ１４６−２を含んで構成される。
なお、下りリンク共有データチャネル処理部ａ１４１−１〜ａ１４１−ｍ、下りリンク制御チャネル処理部１４２−１〜ａ１４２−ｎ、及び、送信部ａ１４５−１、ａ１４５−２は、それぞれ、同様の構成及び機能を有するので、その一つ（下りリンク共有データチャネル処理部ａ１４１−１、下りリンク制御チャネル処理部１４２−１、送信部ａ１４５−１）を代表して説明する。
【００６０】
また、この図に示すように、下りリンク共有データチャネル処理部ａ１４１−１は、ターボ符号部ａ１４１１、データ変調部ａ１４１２、及び、Ｓ／Ｐ（Ｓｅｒｉａｌ／Ｐａｒａｌｌｅｌ；直並列変換）部ａ１４１３、を備える。  
また、この図に示すように、下りリンク制御チャネル処理部１４２−１は、畳み込み符号部ａ１４２１、ＱＰＳＫ（Ｑｕａｄｒａｔｕｒｅ  Ｐｈａｓｅ  Ｓｈｉｆｔ  Ｋｅｙｉｎｇ；４相位相偏移変調）変調部ａ１４２２、及び、Ｓ／Ｐ部ａ１４２３、を備える。
また、この図に示すように、送信部ａ１４５−１は、ＩＦＦＴ（Ｉｎｖｅｒｓｅ  Ｆａｓｔ  Ｆｏｕｒｉｅｒ  Ｔｒａｎｓｆｏｒｍ；高速逆フーリエ変換）部ａ１４５１、ＧＩ（Ｇｕａｒｄ  Ｉｎｔｅｒｖａｌ；ガードインターバル）挿入部ａ１４５２、Ｄ／Ａ（ディジタルアナログ変換）部ａ１４５３、及び、送信ＲＦ（Ｒａｄｉｏ  Ｆｒｅｑｕｅｎｃｙ；無線周波数）部ａ１４５４、を備える。
【００６１】
下りリンク共有データチャネル処理部ａ１４１−１は、移動局装置ｂ１への情報データをＯＦＤＭ方式で伝送するためのベースバンド信号処理を行う。
ターボ符号部ａ１４１１は、入力された情報データを、制御部ａ１３から入力された符号化率で、データの誤り耐性を高めるためのターボ符号化を行い、データ変調部ａ１４１２に出力する。
【００６２】
データ変調部ａ１４１２は、ターボ符号部ａ１４１１が符号化した符号データを、制御部ａ１３から入力された変調方式、例えば、ＱＰＳＫ、１６ＱＡＭ、６４ＱＡＭ（６４直交振幅変調）のような変調方式で変調し、変調シンボルの信号系列を生成する。データ変調部ａ１４１２は、生成した信号系列を、Ｓ／Ｐ部ａ１４１３に出力する。
Ｓ／Ｐ部ａ１４１３は、データ変調部ａ１４１２から入力された直列的な信号系列を並列的な信号系列に変換し、多重部ａ１４４に出力する。
【００６３】
下りリンク制御チャネル処理部ａ１４２−１は、制御部ａ１３から入力された制御データ（制御情報フォーマットを含む）を、ＯＦＤＭ方式で伝送するためのベースバンド信号処理を行う。
畳み込み符号部ａ１４２１は、制御部ａ１３から入力された制御情報の符号化率に基づき、制御データの誤り耐性を高めるための畳み込み符号化を行う。ここで、制御データはビット単位で制御される。また、畳み込み符号部ａ１４２１は、制御部ａ１３から入力された符号化率に基づき、畳み込み符号化処理を行なったビットに対して出力ビットの数を調整するためにレートマッチングも行なう。
畳み込み符号部ａ１４２１は、符号化した制御データをＱＰＳＫ変調部ａ１４２２に出力する。
【００６４】
ＱＰＳＫ変調部ａ１４２２は、畳み込み符号部ａ１４２１が符号化した制御データを、ＱＰＳＫ変調方式で変調した変調シンボルの信号系列を、Ｓ／Ｐ部ａ１４２３に出力する。
Ｓ／Ｐ部ａ１４２３は、ＱＰＳＫ変調部ａ１４２２が出力した直列的な信号系列を並列的な信号系列に変換し、多重部ａ１４４に出力する。
【００６５】
下りリンクパイロットチャネル処理部ａ１４３は、移動局装置ｂ１において既知の信号である下りリンク参照信号を生成し、多重部ａ１４３に出力する。
多重部ａ１４３は、下りリンクパイロットチャネル処理部ａ１４３から入力された信号と、下りリンク共有データチャネル処理部ａ１４１−１〜ａ１４１−ｍ各々から入力された信号と、下りリンク制御チャネル処理部ａ１４２−１〜ａ１４２−ｎ各々から入力された信号とを、制御部ａ１３からの指示に従って、下りリンク無線フレームに多重する。
なお、多重部ａ１４４は、下りリンク共有データチャネルと下りリンク制御チャネル間の多重を、図２に示したように時間多重で行う。また、多重部ａ１４４は、下りリンクパイロットチャネルと、その他のチャネル間の多重は時間・周波数多重で行う。また、多重部ａ１４４は、各移動局装置ｂ１宛ての下りリンク共有データチャネルの多重を下りリンクリソースブロックペア単位で行い、１個の移動局装置ｂ１に対して複数の下りリンクリソースブロックペアを用いて下りリンク共有データチャネルを多重することもある。また、多重部ａ１４４は、各移動局装置ｂ１宛ての下りリンク制御チャネルの多重をばらばらに分散したリソースエレメントを複数用いて行う。
多重部ａ１４４は、多重化した信号を、送信部ａ１４５−１、ａ１４５−２に出力する。
【００６６】
送信部ａ１４５−１は、多重部ａ１４４から入力された多重化された信号を、それぞれ、送信アンテナを介して、移動局装置ｂ１に送信する。
ＩＦＦＴ部ａ１４５１は、多重部ａ１４４が多重化した信号を高速逆フーリエ変換し、ＯＦＤＭ方式の変調を行い、ＧＩ挿入部ａ１４５２に出力する。
ＧＩ挿入部ａ１４５２は、ＩＦＦＴ部ａ１４５１がＯＦＤＭ方式の変調を行った信号に、ガードインターバルを付加することで、ＯＦＤＭ方式におけるシンボルからなるベースバンドのディジタル信号を生成する。周知のように、ガードインターバルは、伝送するシンボルの先頭又は末尾の一部を複製することによって生成される。ＧＩ挿入部ａ１４５２は、生成したベースバンドのディジタル信号をＤ／Ａ部ａ１４５３に出力する。
【００６７】
Ｄ／Ａ部ａ１４５３は、ＧＩ挿入部ａ１４５２から入力されたベースバンドのディジタル信号をアナログ信号に変換し、送信ＲＦ部ａ１４５４に出力する。
送信ＲＦ部ａ１４５４は、Ｄ／Ａ部ａ１４５３から入力されたアナログ信号から、中間周波数の同相成分及び直交成分を生成し、中間周波数帯域に対する余分な周波数成分を除去する。次に、送信ＲＦ部ａ１４５４は、中間周波数の信号を高周波数の信号に変換（アップコンバート）し、余分な周波数成分を除去し、電力増幅し、送信アンテナａ１４６−１を介して、移動局装置ｂ１に送信する。
【００６８】
＜基地局装置ａ１の受信処理部ａ１１の構成＞
以下、基地局装置ａ１の受信処理部ａ１１の詳細について説明をする。
図６は、本実施形態に係る基地局装置ａ１の受信処理部ａ１１の構成を示す概略ブロック図である。
【００６９】
この図に示すように、受信処理部ａ１１は、受信部ａ１１２−１、ａ１１２−２、サブキャリアデマッピング部ａ１１３、伝搬路推定部ａ１１４１、上りリンク共有データチャネル用の伝搬路等化部ａ１１５、ＭＩＭＯ検出部ａ１１６（多入力多出力検出部）、上りリンク共有データチャネル復号部ａ１１７、上りリンク制御チャネル用の伝搬路等化部ａ１１８、及び、上りリンク制御チャネル検出部ａ１１９、を含んで構成される。
【００７０】
また、この図に示すように、受信部ａ１１２−１、ａ１１２−２は、受信ＲＦ部ａ１１２１、Ａ／Ｄ（アナログディジタル変換）部ａ１１２２、シンボルタイミング検出部ａ１１２３、ＧＩ除去部ａ１１２４、及び、ＦＦＴ部ａ１１２５、を備える。
また、この図に示すように、伝搬路推定部ａ１１４は、参照信号合成部ａ１１４１を備える。
また、この図に示すように、上りリンク共有データチャネル復号部ａ１１７は、２個のコードワード復号部ａ１１７−１、ａ１１７−２を備える。なお、ここでは、コードワード復号部が２個の場合について説明するが、本発明はこれに限定されるものではなく、基地局装置ａ１は、移動局装置ｂ１の送信アンテナの数以上の個数のコードワード復号部を備えればよい。
また、この図に示すように、コードワード復号部ａ１１７−１、ａ１１７−２は、ＩＤＦＴ部ａ１１７１、データ復調部ａ１１７２、及び、ターボ復号部ａ１１７３、を備える。
【００７１】
なお、受信部ａ１１２−１、ａ１１２−２、及び、コードワード復号部ａ１１７−１、ａ１１７−２は、それぞれ、同様の構成及び機能を有するので、その一つ（受信部ａ１１２−１、コードワード復号部ａ１１７−１）を代表して説明する。
【００７２】
受信部ａ１１２−１は、受信アンテナを介して移動局装置ｂ１からの信号を受信する。
受信ＲＦ部ａ１１２１は、アンテナで受信した信号を、適切に増幅し、中間周波数に変換（ダウンコンバート）する。受信部ａ１１２−１は、中間周波数の信号から不要な周波数成分を除去し、信号レベルが適切に維持されるように増幅レベルを制御し、受信した信号の同相成分及び直交成分に基づいて、直交復調する。受信ＲＦ部ａ１１２１は、直交復調したアナログ信号を、Ａ／Ｄ部ａ１１２２に出力する。
Ａ／Ｄ部ａ１１２２は、受信ＲＦ部ａ１１２１が直交復調したアナログ信号をディジタル信号に変換し、変換したディジタル信号を、シンボルタイミング検出部ａ１１２３と、ＧＩ除去部ａ１１２４と、に出力する。
【００７３】
シンボルタイミング検出部ａ１１２３は、Ａ／Ｄ部ａ１１２２が変換したディジタル信号に基づいて、シンボルのタイミングを検出し、検出したシンボル境界のタイミングを示す制御信号を、ＧＩ除去部ａ１１２４に出力する。
ＧＩ除去部ａ１１２４は、シンボルタイミング検出部ａ１１２３からの制御信号に基づいて、Ａ／Ｄ部の出力したディジタル信号からガードインターバルに相当する部分を除去し、残りの部分の信号を、ＦＦＴ部ａ１１２５に出力する。
ＦＦＴ部ａ１１２５は、ＧＩ除去部ａ１１２４から入力された信号を高速フーリエ変換し、ＤＦＴ−Ｓｐｒｅａｄ−ＯＦＤＭ方式の復調を行い、サブキャリアデマッピング部ａ１１３に出力する。なお、ＦＦＴ部ａ１１２５のポイント数は、後述する移動局装置ｂ１のＩＦＦＴ部ｂ１４５１のポイント数と等しい。
【００７４】
サブキャリアデマッピング部ａ１１３は、制御部ａ１３から入力された制御信号に基づき、各ＦＦＴ部ａ１１２５が復調した信号を、上りリンクパイロットチャネルの信号と、上りリンク共有データチャネルの信号と、上りリンク制御チャネルの信号とに分離する。
サブキャリアデマッピング部ａ１１３は、分離した上りリンクパイロットチャネルの信号を伝搬路推定部ａ１１４に出力する。また、サブキャリアデマッピング部ａ１１３は、分離した上りリンク制御チャネルの信号を、伝搬路等化部ａ１１８に出力する。
【００７５】
サブキャリアデマッピング部ａ１１３は、移動局装置ＵＥ３からの上りリンク共有データチャネルの信号を伝搬路等化部ａ１１５に出力する。また、サブキャリアデマッピング部ａ１１３は、移動局装置ｂ１からの上りリンク共有データチャネルの信号を、制御部ａ１３からの制御に応じて伝搬路等化部ａ１１５又はＭＩＭＯ検出部ａ１１６に出力する。具体的に、サブキャリアデマッピング部ａ１１３は、移動局装置ｂ１各々について、制御部ａ１３から伝搬路等化処理制御が行われた場合、上りリンク共有データチャネルの信号を伝搬路等化部ａ１１５に出力し、ＭＩＭＯ検出処理制御が行われた場合、上りリンク共有データチャネルの信号をＭＩＭＯ検出部ａ１１６に出力する。
つまり、サブキャリアデマッピング部ａ１１３は、移動局装置ｂ１がＭＩＭＯ方式の制御情報フォーマットにて信号を送信した場合、その上りリンク共有データチャネルの信号をＭＩＭＯ検出部ａ１１６に出力する。一方、サブキャリアデマッピング部ａ１１３は、移動局装置ｂ１が非ＭＩＭＯ方式の制御情報フォーマットにて信号を送信した場合、その上りリンク共有データチャネルの信号を伝搬路等化部ａ１１５に出力する
【００７６】
伝搬路推定部ａ１１４は、サブキャリアデマッピング部ｂ１１３が分離した上りリンクパイロットチャネルの上りリンク参照信号と既知の信号を用いて伝搬路の状況を推定する。
ここで、伝搬路推定部ａ１１４の参照信号合成部ａ１１４１は、制御部ａ１３の参照信号合成指示部ａ１３１（図示せず）から参照信号合成指示が入力された場合、連続時間フレームに配置された上りリンク参照信号を加算して平均した参照信号を用いて伝搬路推定値を算出する。具体的に、参照信号合成部ａ１１４１は、上りリンクサブキャリア帯域幅の帯域毎に、連続時間フレームに配置された上りリンク参照信号を加算して平均した参照信号を用いて伝搬路推定値を算出する。
すなわち、伝搬路推定部ａ１１４は、連続時間フレームに配置された上りリンク参照信号を合成して伝搬路推定を行う。このように、参照信号合成部ａ１１４１は、連続時間フレーム単位で合成した上りリンク参照信号を用いることで、ノイズの影響を抑え、精度の高い伝搬路推定値を算出する。
【００７７】
参照信号合成部ａ１１４１は、制御部ａ１３から伝搬路等化処理制御が行われた場合、検出した伝搬路推定値を伝搬路等化部ａ１１５に出力する。つまり、制御部ａ１３は、連続時間‐非ＭＩＭＯモードでは検出した伝搬路推定値を伝搬路等化部ａ１１５に出力するように参照信号合成部ａ１１４を制御する。
参照信号合成部ａ１１４１は、制御部ａ１３からＭＩＭＯ検出処理制御が行われた場合、移動局装置ｂ１の送信アンテナａ１４６−１、ａ１４６−２各々から送信された信号について、自装置の受信アンテナａ１１１−１、ａ１１１−２各々で受信した信号の伝搬路推定値を算出する。この場合、参照信号合成部ａ１１４１は、推定した伝搬路推定値をＭＩＭＯ検出部ａ１１６に出力する。つまり、制御部ａ１３は、連続時間‐ＭＩＭＯモードでは検出した伝搬路推定値をＭＩＭＯ検出部ａ１１６に出力するように参照信号合成部ａ１１４を制御する。
【００７８】
一方、伝搬路推定部ａ１１４は、制御部ａ１３から参照信号合成指示が入力されない場合、１個の上りリンクリソースブロックペア、つまり、上りリンクリソースブロックペア単位の上りリンク参照信号を用いて伝搬路推定値を算出する。この場合、制御部ａ１３は、単一時間‐非ＭＩＭＯモードでは検出した伝搬路推定値を伝搬路等化部ａ１１５に出力するように伝搬路推定部ａ１１４を制御し、単一時間‐ＭＩＭＯモードでは検出した伝搬路推定値をＭＩＭＯ検出部ａ１１６に出力するように伝搬路推定部ａ１１４を制御する。
このように、伝搬路推定部ａ１１４は、移動局装置ｂ１に連続時間フレームを割り当てたか否かにより、上りリンク参照信号を合成して伝搬路推定を行うか否かを切り替える。
【００７９】
伝搬路等化部ａ１１５は、サブキャリアデマッピング部ａ１１３が分離した上りリンク共有データチャネルの信号の振幅及び位相を、伝搬路推定部ａ１１４から入力された伝搬路推定値に基づいて等化する。ここで、等化とは、信号が無線通信中に受けた伝搬路変動を元に戻す処理のことを示す。伝搬路等化部ａ１１５は、等化した信号を上りリンク共有データチャネル復号部ａ１１７のコードワード復号部ａ１１７−１のＩＤＦＴ部ａ１７１１に出力する。
【００８０】
ＭＩＭＯ検出部ａ１１６は、後述する移動局装置ｂ１において空間多重のためのプリコーディングの処理が行なわれて送信された信号であって、サブキャリアデマッピング部ａ１１３が分離した上りリンク共有データチャネルの信号を、移動局装置ｂ１の送信アンテナｂ１４６−１、ｂ１４６−２各々を介して送信された信号に分離する。つまり、ＭＩＭＯ検出部ａ１１６は、上りリンク共有データチャネルの信号を、移動局装置ｂ１のコードワード信号処理部ｂ１４１−１、ｂ１４１−２で生成された信号に分離するためのＭＩＭＯ検出を行う。なお、プリコーディングとは、伝搬路の状況に基づいて、送信する信号に対して、信号を送信する前に線形処理及び非線形処理などの予備処理を行なうことを意味する。
【００８１】
具体的に、ＭＩＭＯ検出部ａ１１６は、伝搬路推定部ａ１１４の参照信号合成部ａ１１４１から入力された伝搬路推定値、つまり、移動局装置ｂ１の送信アンテナａ１４６−１、ａ１４６−２各々に対する伝搬路推定値に基づいて、ＭＩＭＯ検出を行う。すなわち、ＭＩＭＯ検出部ａ１１６は、連続時間‐ＭＩＭＯモードにおいて、伝搬路推定部ａ１１４が推定した伝搬路推定値を用いて、連続時間フレームの上りリンクリソースブロックペア各々に配置された情報データの信号であって、ＭＩＭＯ方式にて送信された情報データの信号を検出する。
ＭＩＭＯ検出部ａ１１６は、ＭＩＭＯ検出により移動局装置ｂ１のコードワード信号処理部ｂ１４１−１、ｂ１４１−２各々で生成された信号に分離した信号を、それぞれ、上りリンク共有データチャネル復号部ａ１１７のコードワード復号部ａ１１７−１、ａ１１７−２のＩＤＦＴ部ａ１１７１に出力する。
伝搬路推定部ａ１１４及びＭＩＭＯ検出部ａ１１６が行う処理の一例については、後述する。
【００８２】
上りリンク共有データチャネル復号部ａ１１７は、上りリンク共有データチャネルを用いて送信された信号の復調、復号を行なう。
コードワード復号部ａ１１７−１は、移動局装置ｂ１のコードワード信号処理部ｂ１４１−１で生成された信号の復調、復号を行なう。
【００８３】
ＩＤＦＴ部ａ１１７１は、伝搬路等化部ａ１１５又はＭＩＭＯ検出部ａ１１６から入力された信号を離散逆フーリエ変換し、データ復調部ａ１１７２に出力する。
データ復調部ａ１１７２は、ＩＤＦＴ部ａ１１７１が変換した上りリンク共有データチャネルの信号の復調を行い、復調した上りリンク共有データチャネルの信号をターボ復号部ａ１１７３に出力する。この復調は、後述する移動局装置ｂ１のデータ変調部ｂ１４１２で用いた変調方式に対応した復調である。なお、この変調方式は、移動局装置ｂ１から受信した制御データに含まれている。
また、データ復調部ａ１１７２は、例えば、ハイブリッド自動再送ＨＡＲＱ（Ｈｙｂｒｉｄ  Ａｕｔｏｍａｔｉｃ  Ｒｅｐｅａｔ  ｒｅＱｕｅｓｔ）として、チェース合成（Ｃｈａｓｅ  ｃｏｍｂｉｎｉｎｇ）法を用いているときは、誤りを検出した上りリンク共有データチャネルと再送信された上りリンク共有データチャネルの信号の合成を行う。
【００８４】
ターボ復号部ａ１１７３は、データ復調部ａ１１７２から入力され、復調された上りリンク共有データチャネルの信号から、情報データを復号する。また、ターボ復号部ａ１１７２は、例えば、ハイブリッド自動再送ＨＡＲＱとして、増加冗長（Ｉｎｃｒｅｍｅｎｔａｌ  Ｒｅｄｕｎｄａｎｃｙ）法を用いているときは、誤りを検出した上りリンク共有データチャネルと再送信された上りリンク共有データチャネルの信号とを併せた復号を行う。
【００８５】
伝搬路等化部ａ１１８は、サブキャリアデマッピング部ａ１１３が分離した上りリンク制御チャネルの信号の振幅及び位相を、伝搬路推定部ａ１１４から入力された伝搬路推定値に基づいて等化する。伝搬路等化部ａ１１８は、等化した信号を上りリンク制御チャネル検出部ａ１１９に出力する。
【００８６】
上りリンク制御チャネル検出部ａ１１９は、伝搬路等化部ａ１１８から入力された信号を送信された制御データの種別に応じて、復調、復号し、制御データを検出する。ここで、基地局装置ａ１は、移動局装置ｂ１が送信する制御データの種別を予め記憶している。また、上りリンク制御チャネル検出部ａ１１９は、検出した制御データを制御部ａ１３に出力する。
制御部ａ１３は、上述のように、移動局装置ｂ１に下りリンク制御チャネルを用いて送信した制御情報フォーマットに基づいて、サブキャリアデマッピング部ａ１１３、上りリンク共有データチャネル復号部ａ１１７のコードワード復号部ａ１１７−１、ａ１１７−２のデータ復調部ａ１１７２、ターボ復号部ａ１１７３、伝搬路推定部ａ１１４、及び上りリンク制御チャネル検出部ａ１１９を制御し、例えば、移動局装置ｂ１から送信された上りリンク共有データチャネルの受信処理の制御を行う。
なお、受信処理部ａ１１は、上記に説明した伝搬路推定部ａ１１４、ＭＩＭＯ検出部ａ１１６、上りリンク共有データチャネル復号部ａ１１７の行う処理を移動局装置各々について行う。
【００８７】
＜移動局装置ｂ１の全体構成＞
以下、図７、図８、図９を用いて、本実施形態に係る移動局装置ｂ１の構成について説明する。
図７は、本実施形態に係る移動局装置ｂ１の構成を示す概略ブロック図である。この図に示すように、移動局装置ｂ１は、受信処理部ｂ１１、制御部ｂ１２、データ配置部ｂ１３、送信処理部ｂ１４を含んで構成される。
また、この図に示すように、制御部ｂ１２は、制御情報フォーマット検出部ｂ１２１を備え、制御情報フォーマット検出部ｂ１２１は、送信モード設定部ｂ１２２１及びＭＩＭＯ制御情報フォーマット設定部ｂ１２２２を備える。
また、この図に示すように、データ配置部ｂ１３は、連続時間フレームデータ配置部ｂ１３１を備える。
【００８８】
受信処理部ｂ１１は、基地局装置ａ１から信号を受信し、制御部ｂ１２の指示に従い、受信アンテナにより移動局装置ｂ１から受信した受信信号を復調、復号する。例えば、受信処理部ｂ１１は、自装置宛ての下りリンク共有データチャネルを復号して得た情報データを上位層に出力する。
【００８９】
受信処理部ｂ１１は、自装置宛ての下りリンク制御チャネルの信号を検出した場合は、下りリンク制御チャネルの信号を復号して制御データを取得し、取得した制御データに含まれる制御情報フォーマットを、制御部ｂ１２に出力する。例えば、上りリンクの制御情報フォーマットには、ＭＩＭＯ方式の制御情報フォーマット、非ＭＩＭＯ方式の制御情報フォーマットがある。なお、受信処理部ｂ１１は、自装置宛ての下りリンク共有データチャネルを復号して得た制御データ、例えば送信モードを示す制御データも制御部ｂ１２に出力する。
受信処理部ｂ１１の詳細については後述する。
【００９０】
制御部ｂ１２は、受信処理部ｂ１１から入力された制御情報フォーマットに基づいて、データ配置部ｂ１３及び送信処理部ｂ１４の上りリンクの送信制御をする。
具体的に、送信モード設定部ｂ１２２１は、基地局装置ａ１から下りリンク共有データチャネルを用いて予め通知された送信モードを示す制御データを検出する。送信モード設定部ｂ１２２１は、検出した送信モードを示す制御データに基づいて、単一時間フレーム送信モードと連続時間フレーム送信モードとを切り替えて設定する。制御部ｂ１２は、送信モード設定部ｂ１２２１が設定した送信モードを示す制御信号をデータ配置部ｂ１３及び送信処理部ｂ１４に出力する。
【００９１】
なお、本実施形態では、送信モード設定部ｂ１２２１は基地局装置ａ１から通知された送信モードを示す制御データに基づいて送信モードを切り替えているが、本発明はこれに限らず、例えば、送信モード設定部ｂ１２２１は受信処理部ｂ１１から入力された制御情報フォーマットに基づいて、その制御情報フォーマットが連続時間フレームを割り当てた制御情報フォーマットであるか否かを判定し、判定結果に応じて送信モードを切り替えてもよい。
【００９２】
また、ＭＩＭＯ制御情報フォーマット設定部ｂ１２２２は、受信処理部ｂ１１から入力された制御情報フォーマットに基づいて、その制御情報フォーマットがＭＩＭＯ方式の制御情報フォーマットであるか否かを判定する。制御部ｂ１２は、ＭＩＭＯ制御情報フォーマット設定部ｂ１２２２が設定した送信モードを示す制御信号をデータ配置部ｂ１３及び送信処理部ｂ１４に出力する。
【００９３】
データ配置部ｂ１３は、制御部ｂ１２から入力された制御信号に従い、送信処理部ｂ１３への情報データの出力を制御する。
具体的に、データ配置部ｂ１３は、制御部ｂ１２から入力された制御信号が単一時間フレーム送信モードを示していた場合、１個の上りリンクリソースブロックペアで送信する量の単位で情報データを配置して、送信処理部ｂ１４に出力する。一方、データ配置部ｂ１３の連続時間フレームデータ配置部ｂ１３１は、制御部ｂ１２から入力された制御信号が連続時間フレーム送信モードを示していた場合、連続時間フレーム全体で送信する量の単位で情報データを配置して、送信処理部ｂ１４に出力する。
【００９４】
ここで、連続時間フレームデータ配置部ｂ１３１は、制御部ｂ１２から入力された制御信号が連続時間フレーム送信モードを示し、かつ、ＭＩＭＯ方式を示していなかった場合（基地局装置ａ１の送信モード決定部ａ１２１が送信モードを「連続時間−非ＭＩＭＯ」に決定した場合）、連続時間フレームに対して同一の情報データを配置して、送信処理部ｂ１４に出力する（図１０（ａ）参照）。
【００９５】
一方、連続時間フレームデータ配置部ｂ１３１は、制御部ｂ１２から入力された制御信号が連続時間フレーム送信モードを示し、かつ、ＭＩＭＯ方式を示していた場合（基地局装置ａ１の送信モード決定部ａ１２１が送信モードを「連続時間−ＭＩＭＯ」に決定した場合）、連続時間フレームに対して上りリンクリソースブロックペア単位で異なる情報データを配置して、送信処理部ｂ１４に出力する（図１０（ｂ）参照）。この場合、連続時間フレームデータ配置部ｂ１３１は、後述する送信処理部ｂ１４のコードワード信号処理部ｂ１４１−１、ｂ１４１−２各々に異なる情報データを出力する。
【００９６】
なお、データ配置部ｂ１３が送信処理部ｂ１４に出力する情報データの量は、送信方式（ＭＩＭＯ方式、又は非ＭＩＭＯ方式）、割り当てられた上りリンクリソースブロックの数、変調方式、符号化率などに応じて異なる。
【００９７】
送信処理部ｂ１４は、制御部ｂ１２の指示に従い、情報データ、制御データを符号化し、変調した信号を基地局装置ａ１に送信アンテナを介して送信する。また、送信処理部ｂ１４は、制御部ｂ１２から入力された制御信号に応じた送信モード及び送信方式で送信信号を送信する。
具体的に、送信処理部ｂ１４は、制御部ｂ１２から入力された制御信号が連続時間フレーム送信モードを示していた場合、連続時間フレームに情報データの信号を配置する。ここで、送信処理部ｂ１４は、１個の連続時間フレームに対して１個の制御データを送信する。一方、送信処理部ｂ１４は、制御部ｂ１２から入力された制御信号が単一時間フレーム送信モードを示していた場合、１個の上りリンクリソースブロックペア毎に情報データの信号を配置し、１個の上りリンクサブフレーム毎に１個の制御データを送信する。
なお、送信処理部ｂ１４は、連続時間フレーム送信モードの場合、複数の上りリンクリソースブロックペアにおいて、周波数領域が同一の上りリンクリソースブロックを送信に用いる。
【００９８】
また、送信処理部ｂ１４は、制御部ｂ１２から入力された制御信号がＭＩＭＯ方式を示していたか否かに応じて、ＭＩＭＯ方式又は非ＭＩＭＯ方式で送信信号を生成して送信する。
さらに、送信処理部ｂ１４は、制御部ｂ１２から入力された制御信号が連続時間フレーム送信モードを示し、かつ、ＭＩＭＯ方式を示していなかった場合、連続時間フレームに対して同一の情報データの信号を配置する（図１０（ａ）参照）。一方、送信処理部ｂ１４は、制御部ｂ１２から入力された制御信号が連続時間フレーム送信モードを示し、かつ、ＭＩＭＯ方式を示していた場合、連続時間フレームに対して上りリンクリソースブロックペア単位で異なる情報データの信号を配置する（図１０（ｂ）参照）。
送信処理部ｂ１４の詳細については後述する。
【００９９】
＜移動局装置ｂ１の受信処理部ｂ１１の構成＞
以下、移動局装置ｂ１の受信処理部ｂ１１の詳細について説明をする。
図８は、本実施形態に係る移動局装置ｂ１の受信処理部ｂ１１の構成を示す概略ブロック図である。
この図に示すように、受信処理部ｂ１１は、受信アンテナｂ１１１、受信部ｂ１１２、多重分離部ｂ１１３、伝搬路推定部ｂ１１４、下りリンク共有データチャネル用の伝搬路補償部ｂ１１５、Ｐ／Ｓ（Ｐａｒａｌｌｅｌ／Ｓｅｒｉａｌ；並直列変換）部ｂ１１６、下りリンク共有データチャネル復号部ｂ１１７、下りリンク制御チャネル用の伝搬路補償部ｂ１１８、及び、下りリンク制御チャネル復号部ｂ１１９、を含んで構成される。
【０１００】
また、この図に示すように、受信部ｂ１１２は、受信ＲＦ部ｂ１１２１、Ａ／Ｄ部ｂ１１２２、シンボルタイミング検出部ｂ１１２３、ＧＩ除去部ｂ１１２４、及び、ＦＦＴ部ｂ１１２５、を備える。
また、この図に示すように、下りリンク共有データチャネル復号部ｂ１１７は、データ復調部ｂ１１７１、及び、ターボ復号部ｂ１１７２を備える。
また、この図に示すように、下りリンク制御チャネル復号部ｂ１１９は、ＱＰＳＫ復調部ｂ１１９１、ビタビデコーダ部ｂ１１９２、及び、ＣＲＣ検査部ｂ１１９３、を備える。
【０１０１】
受信部ｂ１１２は、受信アンテナｂ１１１を介して基地局装置ａ１からの信号を受信する。受信ＲＦ部ｂ１１２１は、アンテナで受信した信号を、適切に増幅し、中間周波数に変換（ダウンコンバート）する。受信部ｂ１１２は、中間周波数の信号から不要な周波数成分を除去し、信号レベルが適切に維持されるように増幅レベルを制御し、受信した信号の同相成分及び直交成分に基づいて、直交復調する。
受信ＲＦ部ｂ１１２１は、直交復調したアナログ信号を、Ａ／Ｄ部ｂ１１２２に出力する。
【０１０２】
Ａ／Ｄ部ｂ１１２２は、受信ＲＦ部ｂ１１２１が直交復調したアナログ信号をディジタル信号に変換し、変換したディジタル信号を、シンボルタイミング検出部ｂ１１２３と、ＧＩ除去部ｂ１１２４と、に出力する。
シンボルタイミング検出部ｂ１１２３は、Ａ／Ｄ部ｂ１１２２が変換したディジタル信号に基づいて、シンボルのタイミングを検出し、検出したシンボル境界のタイミングを示す制御信号を、ＧＩ除去部ｂ１１２４に出力する。
【０１０３】
ＧＩ除去部ｂ１１２４は、シンボルタイミング検出部ｂ１１２３からの制御信号に基づいて、Ａ／Ｄ部ｂ１１２２の出力したディジタル信号からガードインターバルに相当する部分を除去し、残りの部分の信号を、ＦＦＴ部ｂ１１２５に出力する。
ＦＦＴ部ｂ１１２５は、ＧＩ除去部ｂ１１２４から入力された信号を高速フーリエ変換し、ＯＦＤＭ方式の復調を行い、多重分離部ｂ１１３に出力する。
【０１０４】
多重分離部ｂ１１３は、制御部ｂ１２から入力された制御信号に基づき、ＦＦＴ部ｂ１１２５が復調した信号を、下りリンク制御チャネルの信号と、下りリンク共有データチャネルの信号とに分離する。多重分離部ｂ１１３は、分離した下りリンク共有データチャネルの信号を、伝搬路補償部ｂ１１５に出力し、また、分離した下りリンク制御チャネルの信号を、伝搬路補償部ｂ１１８に出力する。
また、多重分離部ｂ１１３は、下りリンクパイロットチャネルが配置されるリソースエレメントを分離し、下りリンクパイロットチャネルの下りリンク参照信号を、伝搬路推定部ｂ１１４に出力する。
【０１０５】
伝搬路推定部ｂ１１４は、多重分離部ｂ１１３が分離した下りリンクパイロットチャネルの下りリンク参照信号と既知の信号とを用いて伝搬路の状況を推定し、伝搬路変動を補償するように、振幅及び位相を調整するための伝搬路補償値を、伝搬路補償部ｂ１１５と伝搬路補償部ｂ１１８に出力する。なお、この伝搬路補償値は、サブキャリア毎に出力される。  
【０１０６】
伝搬路補償部ｂ１１５は、多重分離部ｂ１１３が分離した下りリンク共有データチャネルの信号の振幅及び位相を、伝搬路推定部ｂ１１４からの入力された伝搬路補償値に従って、サブキャリア毎に等化する。伝搬路補償部ｂ１１５は、伝搬路を等化した信号をＰ／Ｓ部ｂ１１６に出力する。
Ｐ／Ｓ部ｂ１１６は、伝搬路補償部ｂ１１５が等化した並列的な信号系列を直列の信号系列に変換し、下りリンク共有データチャネル復号部ｂ１１７のデータ復調部ｂ１１７１に出力する。
【０１０７】
下りリンク共有データチャネル復号部ｂ１１７は、制御部からの指示に基づき、下りリンク共有データチャネルの復調、復号を行ない、制御データを検出する。
データ復調部ｂ１１７１は、Ｐ／Ｓ部ｂ１１６が変換した下りリンク共有データチャネルの信号の復調を行い、復調した下りリンク共有データチャネルの信号をターボ復号部ｂ１１７２に出力する。この復調は、基地局装置ａ１のデータ変調部ｂ１４１２で用いた変調方式に対応した復調であり、この変調方式は、制御データにより移動局装置ｂ１に通知される。
また、データ復調部ｂ１１７１は、例えば、ハイブリッド自動再送ＨＡＲＱとして、チェース合成法を用いているときは、誤りを検出した下りリンク共有データチャネルの信号と再送信された下りリンク共有データチャネルの信号との合成を行う。
【０１０８】
ターボ復号部ｂ１１７２は、データ復調部ｂ１１７１が復調した下りリンク共有データチャネルの信号から、情報データを復号する。また、ターボ復号部ｂ１１７２は、例えば、ハイブリッド自動再送ＨＡＲＱとして、増加冗長法を用いているときは、誤りを検出した下りリンク共有データチャネルの信号と再送信された下りリンク共有データチャネルの信号とを併せた復号を行う。
【０１０９】
伝搬路補償部ｂ１１８は、多重分離部ｂ１１３が分離した下りリンク制御チャネルの信号の振幅及び位相を、伝搬路推定部ｂ１１４から入力された伝搬路補償値に従って調整する。伝搬路補償部ｂ１１８は、等化した信号を下りリンク制御チャネル復号部ｂ１１９のＱＰＳＫ復調部ｂ１１９１に出力する。
【０１１０】
下りリンク制御チャネル復号部ｂ１１９は、以下のように、伝搬路補償部ｂ１１８から入力された信号を復調、復号し、自装置宛ての制御データを検出する。
ＱＰＳＫ復調部ｂ１１９１は、下りリンク制御チャネルの信号に対してＱＰＳＫ復調を行い、ビタビデコーダ部ｂ１１９２に出力する。
ビタビデコーダ部ｂ１１９２は、ＱＰＳＫ復調部ｂ１１９１が復調した信号を復号し、復号した信号をＣＲＣ検査部ｂ１１９３に出力する。ここで、この信号はビット単位で表現され、ビタビデコーダ部ｂ１１９２は、入力ビットに対してビタビデコーディング処理を行なうビットの数を調整するためにレートデマッチングも行なう。
【０１１１】
ＣＲＣ検査部ｂ１１９３は、ビタビデコーダ部ｂ１１９２が復号したビット系列に対してＣＲＣチェックを行う。なお、説明の便宜上、説明を省略したが、基地局装置ａ１は、下りリンク制御チャネルで送信する制御データと共に巡回冗長検査ＣＲＣ（Ｃｙｃｌｉｃ  Ｒｅｄｕｎｄａｎｃｙ  Ｃｈｅｃｋ）符号を付加する公知の技術を用いて信号を送信する。ＣＲＣ検査部ｂ１１９３は、このＣＲＣチェックにより誤りが検出されたか否かを判定する。
【０１１２】
ＣＲＣ検査部ｂ１１９３は、誤りが検出されないと判定した場合、ビット系列が、誤りなく受信できた自装置宛ての制御データであると判定する。一方、ＣＲＣ検査部ｂ１１９３は、誤りが検出されたと判定した場合、ビット系列が、自装置宛ての制御データでないと判定する。
ＣＲＣ検査部ｂ１１９３は、自装置宛ての制御データと判定した制御データを制御部ｂ１２に出力する。
【０１１３】
制御部ｂ１２は、ＣＲＣ検査部ｂ１１９３から入力された制御データに含まれる制御情報に基づいて、多重分離部ｂ１１３、データ復調部ｂ１１７１、ターボ復号部ｂ１１７２を制御する。
【０１１４】
＜移動局装置ｂ１の送信処理部ｂ１４の構成＞
図９は、本実施形態に係る移動局装置ｂ１の送信処理部ｂ１４の構成を示す概略ブロック図である。
この図に示すように、送信処理部ｂ１４は、上りリンク共有データチャネル処理部ｂ１４１（送信信号生成部）、上りリンク制御チャネル処理部ｂ１４２、上りリンクパイロットチャネル処理部ｂ１４３、サブキャリアマッピング部ｂ１４４（連続時間フレーム信号配置部）、送信部ｂ１４５−１、ｂ１４５−２、及び、送信アンテナｂ１４６−１、ｂ１４６−２を含んで構成される。
なお、本実施形態では、送信アンテナが２本の場合について説明するが、本発明はこれに限らず、３本以上であってもよい。
【０１１５】
また、この図に示すように、上りリンク共有データチャネル処理部ｂ１４１は、２個のコードワード信号処理部ｂ１４１−１、ｂ１４１−２、及びプリコーディング部ｂ１４１を備える。なお、本実施形態では、コードワード信号処理部が２個の場合について説明するが、本発明はこれに限らず、１個であっても、３個以上であってもよい。
【０１１６】
また、この図に示すように、コードワード信号処理部ｂ１４１−１、ｂ１４１−２は、ターボ符号部ｂ１４１１、データ変調部ｂ１４１２、及びＤＦＴ部ｂ１４１３、を備える。
また、この図に示すように、送信部ｂ１４５−１、ｂ１４５−２は、ＩＦＦＴ部ｂ１４５１、ＧＩ挿入部ｂ１４５２、Ｄ／Ａ部ｂ１４５３、及び、送信ＲＦ部ｂ１４５４、を備える。なお、ここでは、送信部ｂ１４５−１、ｂ１４５−２は、それぞれ、送信アンテナｂ１４６−１、ｂ１４６−２に接続される場合、つまり、送信部の数が送信アンテナの本数と等しく、２個の場合について説明する。
【０１１７】
なお、コードワード信号処理部ｂ１４１−１、ｂ１４１−２、及び、送信部ｂ１４５−１、ｂ１４５−２は、それぞれ、同様の構成及び機能を有するので、その一つ（コードワード信号処理部ｂ１４１−１、送信部ｂ１４５−１）を代表して説明する。
【０１１８】
上りリンク共有データチャネル処理部ｂ１４１は、基地局装置ａ１への情報データをＤＦＴ−Ｓｐｒｅａｄ−ＯＦＤＭ方式で伝送するためのベースバンド信号処理を行う。ここで、上りリンク共有データチャネル処理部ｂ１４１は、制御部ｂ１２から入力された制御信号がＭＩＭＯ方式を示していた場合、２個のコードワード信号処理部ｂ１４１−１、ｂ１４１−２で信号を生成する。一方、上りリンク共有データチャネル処理部ｂ１４１は、制御部ｂ１２から入力された制御信号がＭＩＭＯ方式を示していなかった場合、１個のコードワード信号処理部ｂ１４１−１でのみ信号を生成する。
【０１１９】
ターボ符号部ｂ１４１１は、入力された情報データを、制御部ｂ１２から指示された符号化率で、データの誤り耐性を高めるためのターボ符号化を行い、データ変調部ｂ１４１２に出力する。
データ変調部ｂ１４１２は、ターボ符号部ｂ１４１１が符号化した符号データを、制御部ｂ１２から指示された変調方式、例えば、ＱＰＳＫ、１６ＱＡＭ、６４ＱＡＭのような変調方式で変調し、変調シンボルの信号系列を生成する。データ変調部ｂ１４１２は、生成した変調シンボルの信号系列を、ＤＦＴ部ｂ１４１３に出力する。
ＤＦＴ部ｂ１４１３は、データ変調部ｂ１４１２が出力した信号を離散フーリエ変換し、プリコーディング部ｂ１４１４に出力する。
【０１２０】
プリコーディング部ｂ１４１４は、各コードワード信号処理部ｂ１４１−１、ｂ１４１−２から入力された信号に対して重み付け乗算を行い、重み付け乗算を行った信号を合成して、サブキャリアマッピング部ｂ１４４に出力する。
なお、プリコーディング部ｂ１４１４において用いる重み付けを示す情報は、基地局装置ａ１より下りリンク制御チャネルを用いて移動局装置ｂ１に通知され、制御部ｂ１２を介してプリコーディング部ｂ１４１４に入力される。また、プリコーディング部ｂ１４１４は、サブキャリアマッピング部ｂ１４４を介して、各送信部ｂ１４５−１、ｂ１４５−２と、これらにそれぞれ接続された送信アンテナｂ１４６−１、ｂ１４６−２で送信する信号を出力する。
なお、プリコーディング部ｂ１４１４は、ＭＩＭＯ方式を用いないで送信する信号に対しては、重み付け乗算を行わず、入力された信号をそのまま出力する。
【０１２１】
上りリンク制御チャネル処理部ｂ１４２は、制御部ｂ１２から入力された制御データを伝送するためのベースバンド信号処理を行う。上りリンク制御チャネル処理部ｂ１４２に入力される制御データは、下りリンクの受信品質指標、下りリンク共有データチャネルの受信応答情報ＡＣＫ／ＮＡＣＫ（Ａｃｋｎｏｗｌｅｄｇｅｍｅｎｔ／Ｎｅｇａｔｉｖｅ−Ａｃｋｎｏｗｌｅｄｇｅｍｅｎｔ）、スケジューリングリクエスト情報などである。上りリンク制御チャネル処理部ｂ１４２は、処理を行なう制御データの種類に応じて異なる形式の信号を生成し、サブキャリアマッピング部ｂ１４４に出力する。
【０１２２】
上りリンクパイロットチャネル処理部ｂ１４３は、基地局装置ａ１において既知の信号である上りリンク参照信号を生成し、サブキャリアマッピング部ｂ１４４に出力する。
サブキャリアマッピング部ｂ１４４は、上りリンクパイロットチャネル処理部ｂ１４３から入力された信号と、上りリンク共有データチャネル処理部ｂ１４１から入力された信号と、上りリンク制御チャネル処理部ｂ１４２から入力された信号と、を制御部ｂ１２からの指示に従ってサブキャリアに配置する。
【０１２３】
サブキャリアマッピング部ｂ１４４は、サブキャリアに配置した信号を、送信部ｂ１４５−１、ｂ１４５−２のＩＦＦＴ部ｂ１４５１に出力する。ここで、サブキャリアマッピング部ｂ１４４は、制御部ｂ１２から入力された制御信号がＭＩＭＯ方式を示していた場合、プリコーディング部ｂ１４１４から入力された複数の信号系列を複数の送信部ｂ１４５−１、ｂ１４５−２に出力する。一方、サブキャリアマッピング部ｂ１４４は、制御部ｂ１２から入力された制御信号がＭＩＭＯ方式を示していなかった場合、プリコーディング部ｂ１４１４から入力された１個の信号系列を１個の送信部ｂ１４５−１に出力する。
なお、連続時間フレーム送信モードの場合に、サブキャリアマッピング部ｂ１４４が行う情報データの配置の詳細については、後述する。
【０１２４】
また、サブキャリアマッピング部ｂ１４４は、上りリンク共有データチャネルの信号と上りリンク制御チャネルの信号を同一の上りリンクサブフレームの上りリンクリソースブロックペアに配置しない。また、サブキャリアマッピング部ｂ１４４は、上りリンク共有データチャネル内における上りリンクパイロットチャネルの信号（上りリンク参照信号）の配置、及び上りリンク制御チャネル内における上りリンクパイロットチャネルの信号（上りリンク参照信号）の配置を、図３に示したように時間多重で配置して、出力する。
【０１２５】
送信部ｂ１４５−１は、サブキャリアマッピング部ｂ１４４から入力された信号を、送信アンテナｂ１４６−１を介して、基地局装置ａ１に送信する。
ＩＦＦＴ部ｂ１４５１は、サブキャリアマッピング部ｂ１４４が出力した信号を高速逆フーリエ変換し、ＧＩ挿入部ｂ１４５２に出力する。
ここで、ＩＦＦＴ部ｂ１４５１のポイント数はＤＦＴ部ｂ１４１３のポイント数よりも多く、ＤＦＴ部ｂ１４１３、サブキャリアマッピング部ｂ１４４、ＩＦＦＴ部ｂ１４５１を用いることにより、上りリンク共有データチャネルを用いて送信する信号に対してＤＦＴ−Ｓｐｒｅａｄ−ＯＦＤＭ方式の変調を行う。
【０１２６】
ＧＩ挿入部ｂ１４５２は、ＩＦＦＴ部ｂ１４５１から入力された信号に、ガードインターバルを付加し、Ｄ／Ａ部ｂ１４５３に出力する。
Ｄ／Ａ部ｂ１４５３は、ＧＩ挿入部ｂ１４５２から入力されたベースバンドのディジタル信号をアナログ信号に変換し、送信ＲＦ部ｂ１４５４に出力する。
【０１２７】
送信ＲＦ部ｂ１４５４は、Ｄ／Ａ部ｂ１４５３から入力されたアナログ信号から、中間周波数の同相成分及び直交成分を生成し、中間周波数帯域に対する余分な周波数成分を除去する。次に、送信ＲＦ部ｂ１４５４は、中間周波数の信号を高周波数の信号に変換（アップコンバート）し、余分な周波数成分を除去し、電力増幅し、送信アンテナを介して、基地局装置ａ１に送信する。
【０１２８】
＜データ配置＞
以下、連続時間フレーム送信モードの場合に、サブキャリアマッピング部ｂ１４４が行う情報データの配置の詳細について説明をする。
図１０は、本実施形態に係る連続時間フレーム送信モードにおける情報データの配置の一例を説明する図である。なお、この図は、連続時間フレームとして周波数領域が同一で、時間方向に連続する２個の上りリンクリソースブロックペアを基地局装置ａ１が移動局装置ｂ１に割り当てた場合について説明をする。なお、本実施形態では、連続時間フレームとして２個の上りリンクリソースブロックペアを基地局装置ａ１が移動局装置ｂ１に割り当てた場合について説明をするが、本発明はこれに限らず、連続時間フレームとして周波数領域が同一で、時間方向に連続する３個以上の上りリンクリソースブロックペアを基地局装置ａ１が移動局装置ｂ１に割り当ててもよい。また、本発明は、連続時間フレームとして周波数方向に１個の上りリンクリソースブロックペアだけでなく、各上りリンクサブフレームにおいて２個以上の上りリンクリソースブロックペアで、上りリンクサブフレーム間で周波数領域が同一の上りリンクリソースブロックペアを基地局装置ａ１が移動局装置ｂ１に割り当ててもよい。
【０１２９】
図１０（ａ）は、制御部ｂ１２が出力した制御信号が連続時間フレーム送信モードを示し、かつ、ＭＩＭＯ方式を示していなかった場合の情報データの配置を示す。
サブキャリアマッピング部ｂ１４４は、連続時間フレームの１番目の上りリンクリソースブロックペアに対して情報データＤａｔａ１を配置し、２番目の上りリンクリソースブロックペアに対しても情報データＤａｔａ１を配置する。この場合、データ配置部ｂ１３の連続時間フレームデータ配置部ｂ１３１は、同一の情報データを複製して、送信処理部ｂ１４に出力する。サブキャリアマッピング部ｂ１４４は、連続時間フレームデータ配置部ｂ１３１から出力された情報データを連続時間フレームに配置して、図１０（ａ）に示す配置の信号を生成し、生成した信号を基地局装置ａ１に送信する。
すなわち、サブキャリアマッピング部ｂ１４４は、制御情報フォーマット検出部ｂ１２１が検出した制御情報フォーマットがＭＩＭＯ方式以外の配置形式を示す場合、連続時間フレームの上りリンクリソースブロックペア各々に、上りリンク参照信号と上りリンクリソースブロックペア各々で同一の情報データの信号と、を配置する。
【０１３０】
図１０（ｂ）は、制御部ｂ１２が出力した制御信号が連続時間フレーム送信モードを示し、かつ、ＭＩＭＯ方式を示していた場合の情報データの配置を示す。
サブキャリアマッピング部ｂ１４４は、連続時間フレームの１番目の上りリンクリソースブロックペアに対して情報データＤａｔａ２を配置し、２番目の上りリンクリソースブロックペアに対して異なる情報データＤａｔａ３を配置する。つまり、データ配置部ｂ１３は、異なる情報データを複数の上りリンクリソースブロックペアに配置する。この場合、連続時間フレームデータ配置部ｂ１３１は、連続時間フレームに対して上りリンクリソースブロックペア単位で異なる情報データを配置して、送信処理部ｂ１４に出力する。サブキャリアマッピング部ｂ１４４は、連続時間フレームデータ配置部ｂ１３１から出力された情報データを連続時間フレームに配置して、図１０（ｂ）に示す配置の信号を生成し、生成した信号を基地局装置ａ１に送信する。
すなわち、サブキャリアマッピング部ｂ１４４は、制御情報フォーマット検出部ｂ１２１が検出した制御情報フォーマットがＭＩＭＯ方式の配置形式を示す場合、連続時間フレームのリソースブロックペア各々に、上りリンク参照信号と上りリンクリソースブロックペア各々で異なる情報データの信号と、を配置する。
【０１３１】
＜上りリンク共有データチャネルの送信動作＞
以下、移動局装置ｂ１が検出した制御情報フォーマットに基づいて、上りリンク共有データチャネルの信号を生成して送信する動作について説明をする。
図１１は、本実施形態に係る移動局装置ｂ１における上りリンク共有データチャネルの送信動作の一例を示すフロー図である。なお、ここでは、移動局装置ｂ１が既に連続時間フレーム送信モードを設定した場合の処理について説明する。
【０１３２】
（ステップＳ１０１）下りリンク制御チャネル復号部ｂ１１９は、下りリンク制御チャネルの復号を行なう。その後、ステップＳ１０２に進む。
（ステップＳ１０２）下りリンク制御チャネル復号部ｂ１１９は、ＣＲＣチェックにより、復号を行なった下りリンク制御チャネルに自装置宛ての制御情報フォーマットを検出したか否かを判定する。自装置宛ての制御情報フォーマットを検出したと判定した場合、下りリンク制御チャネル復号部ｂ１１９は、復号した制御データを制御部ｂ１２に出力する。その後、ステップＳ１０３に進む。一方、下りリンク制御チャネル復号部ｂ１１９が自装置宛ての制御情報フォーマットを検出しないと判定した場合、ステップＳ１０１に進む。
【０１３３】
（ステップＳ１０３）制御部ｂ１２は、検出した制御情報フォーマットが上りリンク共有データチャネルの送信信号の配置形式を示す制御情報フォーマットか否かを判定する。制御部ｂ１２が上りリンク共有データチャネルの送信信号の配置形式を示す制御情報フォーマットではないと判定した場合、つまり下りリンク共有データチャネルの受信信号の配置形式を示す制御情報フォーマットと判定した場合、ステップＳ１０１に進む。一方、制御部ｂ１２が上りリンク共有データチャネルの送信信号の配置形式を示す制御情報フォーマットであると判定した場合、ステップＳ１０４に進む。
【０１３４】
（ステップＳ１０４）制御部ｂ１２は、検出した制御情報フォーマットがＭＩＭＯ方式の制御情報フォーマットか否かを判定する。制御部ｂ１２が下りリンク制御チャネル復号部がＭＩＭＯ方式の制御情報フォーマットではないと判定した場合、ステップＳ１０７へ進む。一方、制御部ｂ１２がＭＩＭＯ方式の制御情報フォーマットであると判定した場合、ステップＳ１０５へ進む。
【０１３５】
（ステップＳ１０５）サブキャリアマッピング部ｂ１４４は、連続時間フレームに対して上りリンクリソースブロックペア毎に異なる情報データを配置する。その後、ステップＳ１０６へ進む。
（ステップＳ１０６）上りリンク共有データチャネル処理部ｂ１４１は、連続時間フレームに配置された情報データに対してＭＩＭＯ方式で送信信号を生成し、送信処理部ｂ１４は、生成した信号を基地局装置ａ１に対して送信する。
【０１３６】
（ステップＳ１０７）サブキャリアマッピング部ｂ１４４は、連続時間フレームの各上りリンクリソースブロックペアに同一の情報データを配置する。その後、ステップＳ１０８へ進む。
（ステップＳ１０８）上りリンク共有データチャネル処理ｂ１４１部は、連続時間フレームに配置された情報データに対して、非ＭＩＭＯ方式で送信信号を生成し、送信処理部ｂ１４は、生成した信号を基地局装置ａ１に対して送信する。
【０１３７】
＜伝搬路推定処理＞
以下、基地局装置ａ１の伝搬路推定部ａ１１４及びＭＩＭＯ検出部ａ１１６が行う伝搬路推定処理の一例について、図１０（ｂ）を用いて説明する。
【０１３８】
伝搬路推定部ａ１１４は、連続時間フレーム内の１番目の上りリンクリソースブロックペアの１番目の上りリンクスロットの上りリンク参照信号と、１番目の上りリンクリソースブロックペアの２番目の上りリンクスロットの上りリンク参照信号と、２番目の上りリンクリソースブロックペアの１番目の上りリンクスロットの上りリンク参照信号と、２番目の上りリンクリソースブロックペアの２番目の上りリンクスロットの上りリンク参照信号を合成して伝搬路推定値を算出して、ＭＩＭＯ検出部ａ１１６に検出した伝搬路推定値を出力する。
【０１３９】
ＭＩＭＯ検出部ａ１１６は、伝搬路推定部ａ１１４より入力された伝搬路推定値を用いて連続時間フレーム内の１番目の上りリンクリソースブロックペアの上りリンク共有データチャネルの信号と、２番目の上りリンクリソースブロックペアの上りリンク共有データチャネルの信号に対してＭＩＭＯ検出処理を行なう。
【０１４０】
このとき、伝搬路推定部ａ１１４及びＭＩＭＯ検出部ａ１１６は、連続時間フレームの処理をする場合に、その連続時間フレームに配置された上りリンク参照信号、上りリンク共有データチャネルの信号、及び、伝搬路推定値を記憶部（図示せず）に記憶する。伝搬路推定部ａ１１４及びＭＩＭＯ検出部ａ１１６は、連続時間フレームの処理が完了すると、記憶した信号及び伝搬路推定値を削除する。
このように、伝搬路推定部ａ１１４及びＭＩＭＯ検出部ａ１１６は、連続時間フレーム送信モードの場合に、処理をする連続時間フレームに配置された信号及び伝搬路推定値のみを記憶するため、例えば、常に、伝搬路推定値を記憶する場合と比較して、メモリ容量の増大を回避することができる。
【０１４１】
このように、本実施形態によれば、移動局装置ｂ１が連続時間フレームの上りリンクリソースブロックペアにリソースブロックペア各々で異なる情報データの信号を配置し、配置した情報データの信号をＭＩＭＯ方式にて送信する。これにより、当該信号を受信した基地局装置ａ１は、連続時間フレームに配置された上りリンク参照信号を合成して伝搬路推定を行い、参照信号を合成しない場合と比較して、ノイズ等の影響を抑えた精度の高い伝搬路推定を行うことができ、伝搬路推定値を用いてＭＩＭＯ方式にて復調した信号の誤りを少なくすることができる。また、基地局装置ａ１は、時間方向に連続しない上りリンクリソースブロックペアの上りリンク参照信号を合成した場合と比較して、時間変動が少なく精度の高い伝搬路推定を行うことができる。
【０１４２】
また、移動局装置ｂ１は、連続時間フレームの上りリンクリソースブロックペア各々に上りリンクリソースブロックペア各々で同一の前記データ信号を配置する場合と比較して、伝送効率の高い送信をすることができる。また、移動局装置ｂ１は、既存の上りリンクリソースブロックペアに上りリンク参照信号及び下りリンク共有データチャネルのデータ信号を配置するので、上りリンクの送信フレームの信号構成を変更しなくても信号を送信することができる。つまり、移動局装置ｂ１は、送信フレームの信号構成を変更することなく、ＭＩＭＯ方式にて復調した信号の誤りを少なくすることができる。
【０１４３】
また、本実施形態によれば、移動局装置ｂ１が制御情報フォーマットを検出し、検出した制御情報フォーマットに基づいて、連続時間フレームの時間周波数帯域各々に、上りリンクリソースブロックペア各々で異なる情報データの信号、又は同一の情報データの信号のいずれかを配置する。これにより、基地局装置ａ１は、同一の情報データの信号が配置された場合、同一の情報データの信号を合成し、情報データの信号を合成しない場合と比較して、情報データの信号の送受信電力を向上させ受信品質の高い情報データの信号を検出することができる。また、基地局装置ａ１は、例えば、移動局装置ｂ１の伝搬路状況、つまり、移動局装置ｂ１からの信号の受信品質に応じて、情報データの信号の伝送効率が高い配置、又は情報データの信号の受信品質の高い配置のいずれかを設定することができる。
【０１４４】
＜変形例＞
以下、本実施形態に係る変形例について説明をする。
本変形例に係る移動局装置ｂ１は、監視モード（監視方式）を設定し、設定した監視モードにより、非ＭＩＭＯ方式を用いる場合の情報データの配置を切り替える。
【０１４５】
基地局装置ａ１は、移動局装置ｂ１各々に対して、非ＭＩＭＯ方式の制御情報フォーマットのみを検出させる第一の監視モードと、非ＭＩＭＯ方式の制御情報フォーマット及びＭＩＭＯ方式の制御情報フォーマットの両方を検出させる第二の監視モードと、を選択する。
具体的に、基地局装置ａ１は、例えば、受信品質が予め定めた閾値以下の移動局装置ｂ１、又は、送信する情報データの量が予め定めた閾値以下の移動局装置ｂ１、に対して第一の監視モードを設定する。また、基地局装置ａ１は、例えば、受信品質が予め定めた閾値より大きい移動局装置ｂ１、又は、送信する情報データの量が予め定めた閾値より大きい移動局装置ｂ１に対して第二の監視モードを設定する。
【０１４６】
なお、このように、第二の監視モードにおいて非ＭＩＭＯ方式の制御情報フォーマットを監視することにより、移動局装置ｂ１は、ＭＩＭＯ方式を用いて通信を行っている場合に、ＭＩＭＯ検出を行うのに精度が十分な伝搬路推定値を算出することができない等、十分な誤り率特性が確保できない場合に、ＭＩＭＯ方式を用いた通信から非ＭＩＭＯ方式を用いた通信に切り替えることができる。また、第一の監視モードにおいて非ＭＩＭＯ方式の制御情報フォーマットのみを監視することにより、移動局装置ｂ１は、非ＭＩＭＯ方式の制御情報フォーマットを復号する処理のみを行えばよく、制御データ量が異なる制御情報フォーマットを異なる処理で復号する場合と比較して、復号処理の負荷を軽減することができる。
【０１４７】
基地局装置ａ１は、選択した監視モードを示す監視方式情報を、下りリンク共有データチャネルを用いて移動局装置ｂ１各々に送信する。移動局装置ｂ１は、受信した監視方式情報が示す監視モードを設定する。
移動局装置ｂ１の制御情報フォーマット検出部ｂ１２１（図７参照）は、第一の監視モードが設定された場合、非ＭＩＭＯ方式の制御情報フォーマットのみを監視する。一方、制御情報フォーマット検出部ｂ１２１は、第二の監視モードが設定された場合、非ＭＩＭＯ方式の制御情報フォーマット及びＭＩＭＯ方式の制御情報フォーマットの両方を監視する。
【０１４８】
移動局装置ｂ１の連続時間フレームデータ配置部ｂ１３１は、制御情報フォーマット検出部ｂ１２１が第一の監視モードにおいて、非ＭＩＭＯ方式の制御情報フォーマットを検出した場合、連続時間フレームに対して各上りリンクリソースブロックペアに同一の情報データを配置して、送信処理部ｂ１４に出力する（図１０（ａ）参照）。
一方、連続時間フレームデータ配置部ｂ１３１は、制御情報フォーマット検出部ｂ１２１が第二の監視モードにおいて、非ＭＩＭＯ方式の制御情報フォーマットを検出した場合、連続時間フレームに対して上りリンクリソースブロックペア単位で異なる情報データを配置して、送信処理部ｂ１４に出力する（図１０（ｂ）参照）。
なお、制御部ｂ１２から入力された制御信号が単一時間フレーム送信モードを示していた場合、及び、ＭＩＭＯ方式を示していた場合の処理は、上記の実施形態と同じであるため、説明は省略する。
【０１４９】
ここで、移動局装置ａ１が連続時間フレームに対して各上りリンクリソースブロックペアに同一の情報データを配置する場合、基地局装置ａ１は、連続時間フレーム内の各上りリンクリソースブロックペアの信号、つまり、上りリンク参照信号と上りリンク共有データチャネルの信号とをそれぞれ合成することで、ノイズの影響を削減して伝搬路推定値の精度を高め、信号の受信電力密度を向上させて情報データの精度を高め、誤り率特性を向上することができる。よって、この場合は、受信品質の非常に悪い移動局装置ｂ１に適用するのに適している。
一方、移動局装置ａ１が連続時間フレームに対して異なる情報データを配置する場合、基地局装置ａ１は、連続時間フレーム内の上りリンク参照信号を合成することで、伝搬路推定値の精度を高めつつ、伝送効率を高めることができる。また、この情報データの配置は、ＭＩＭＯ方式を用いた通信の場合と同じ配置であるので、基地局装置ａ１は、ＭＩＭＯ方式を用いた通信と非ＭＩＭＯ方式を用いた通信とで、伝搬路推定値の検出処理を変更しなくてもよく、変更処理の負荷を軽減することができる。よって、この場合は、ＭＩＭＯ方式を用いて通信中に急に受信品質が悪くなった移動局装置ｂ１に適用するのに適している。
【０１５０】
このように、本変形例によれば、基地局装置ｂ１が移動局装置ｂ１各々の受信品質に基づいて移動局装置ｂ１各々の監視モードを選択し、移動局装置ｂ１は、基地局装置ｂ１が選択した監視モードに応じた制御情報フォーマットを監視する。これにより、移動局装置ｂ１は、受信品質に応じた制御情報フォーマットのみを監視することができ、監視の負荷を軽減することができる。
【０１５１】
また、本変形例によれば、基地局装置ｂ１が移動局装置ｂ１各々の受信品質に基づいて移動局装置ｂ１各々の監視モード（第一の監視モード又は第二の監視モード）を選択し、移動局装置ｂ１は、基地局装置ｂ１が選択した監視モードに応じて、連続時間フレームに対して情報データを配置する。ここで、移動局装置ｂ１は、第一の監視モードでは連続時間フレームに対して各上りリンクリソースブロックペアに同一の情報データを配置し、第二の監視モードでは、連続時間フレームに対して各上りリンクリソースブロックペアに異なる情報データを配置する。これにより、移動局装置ｂ１は、受信品質に応じて情報データの配置を変更することができ、誤り率特性の向上、伝送効率の向上、又は変更処理の負荷軽減をすることができる。
【０１５２】
なお、上述した実施形態における移動局装置、基地局装置の一部、例えば、送信モード決定部ａ１２１、制御情報フォーマット生成部ａ１２２、参照信号合成指示部ａ１３１、伝搬路推定部ａ１１４、参照信号合成部ａ１１４１、送信モード設定部ｂ１２２１、ＭＩＭＯ制御情報フォーマット設定部ａ１２２２、連続時間フレームデータ配置部ｂ１３１、及び、送信処理部ｂ１４をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、移動局装置又は基地局装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１５４】
１・・・無線通信システム、ＵＥ１、ＵＥ２、ＵＥ３、ａ１・・・移動局装置、ＢＳ１、ｂ１・・・基地局装置、受信処理部・・・ａ１１、ａ１２・・・無線リソース制御部、ａ１３・・・制御部、ａ１４・・・送信処理部、ａ１２１・・・送信モード決定部、ａ１２２・・・制御情報フォーマット生成部、ａ１３１・・・参照信号合成指示部、ａ１４１−１〜ａ１４１−ｍ・・・下りリンク共有データチャネル処理部、ａ１４２−１〜ａ１４２−ｎ・・・下りリンク制御チャネル処理部、ａ１４３・・・下りリンクパイロットチャネル処理部、ａ１４４・・・多重部、ａ１４５−１、ａ１４５−２  ・・・送信部、ａ１４６−１、ａ１４６−２・・・送信アンテナ、ａ１４１１・・・ターボ符号部、ａ１４１２・・・データ変調部、ａ１４１３・・・Ｓ／Ｐ部、ａ１４２１・・・畳み込み符号部、ａ１４２２・・・ＱＰＳＫ変調部、ａ１４２３・・・Ｓ／Ｐ部、ａ１４５１・・・ＩＦＦＴ部、ａ１４５２・・・ＧＩ挿入部、ａ１４５３・・・Ｄ／Ａ部、ａ１４５４・・・送信ＲＦ部、ａ１１２−１、ａ１１２−２・・・受信部、ａ１１３・・・サブキャリアデマッピング部、ａ１１４１・・・伝搬路推定部、ａ１１５・・・伝搬路等化部、ａ１１６・・・ＭＩＭＯ検出部（多入力多出力検出部）、ａ１１７・・・上りリンク共有データチャネル復号部、ａ１１８・・・伝搬路等化部、ａ１１９・・・上りリンク制御チャネル検出部、ａ１１２１・・・受信ＲＦ部、ａ１１２２・・・Ａ／Ｄ部、ａ１１２３・・・シンボルタイミング検出部、ａ１１２４・・・ＧＩ除去部、ａ１１２５・・・ＦＦＴ部、ａ１１４１・・・参照信号合成部、ａ１１７−１、ａ１１７−２・・・コードワード復号部、ａ１１７１・・・ＩＤＦＴ部、ａ１１７２・・・データ復調部、ａ１１７３・・・ターボ復号部、ｂ１１・・・受信処理部、ｂ１２・・・制御部、ｂ１３・・・データ配置部、ｂ１４・・・送信処理部、ｂ１２１・・・制御情報フォーマット検出部、ｂ１２２１・・・送信モード設定部、ａ１２２２・・・ＭＩＭＯ制御情報フォーマット設定部、ｂ１３１・・・連続時間フレームデータ配置部、ｂ１１１・・・受信アンテナ、ｂ１１２・・・受信部、ｂ１１３・・・多重分離部、ｂ１１４・・・伝搬路推定部、ｂ１１５・・・伝搬路補償部、ｂ１１６・・・Ｐ／Ｓ部、ｂ１１７・・・下りリンク共有データチャネル復号部、ｂ１１８・・・伝搬路補償部、ｂ１１９・・・下りリンク制御チャネル復号部、ｂ１１２１・・・受信ＲＦ部、ｂ１１２２・・・Ａ／Ｄ部、ｂ１１２３・・・シンボルタイミング検出部、ｂ１１２４・・・ＧＩ除去部、ｂ１１２５・・・ＦＦＴ部、ｂ１１７１・・・データ復調部、ｂ１１７２・・・ターボ復号部、ｂ１１９１・・・ＱＰＳＫ復調部、ｂ１１９２・・・ビタビデコーダ部、ｂ１１９３・・・ＣＲＣ検査部、ｂ１４１・・・上りリンク共有データチャネル処理部、ｂ１４２・・・上りリンク制御チャネル処理部、ｂ１４３・・・上りリンクパイロットチャネル処理部、ｂ１４４・・・サブキャリアマッピング部（連続時間フレーム信号配置部）、ｂ１４５−１、ｂ１４５−２・・・送信部、ｂ１４６−１、ｂ１４５６−２・・・送信アンテナ、ｂ１４１−１、ｂ１４１−２・・・コードワード信号処理部、���１４１・・・プリコーディング部、ｂ１４１１・・・ターボ符号部、ｂ１４１２・・・データ変調部、ｂ１４１３・・・ＤＦＴ部、ｂ１４５１・・・ＩＦＦＴ部、ｂ１４５２・・・ＧＩ挿入部、ｂ１４５３・・・Ｄ／Ａ部、ｂ１４５４・・・送信ＲＦ部
【図１】
2010178131.tif 000003
【図２】
2010178131.tif 000004
【図３】
2010178131.tif 000005
【図４】
2010178131.tif 000006
【図５】
2010178131.tif 000007
【図６】
2010178131.tif 000008
【図７】
2010178131.tif 000009
【図８】
2010178131.tif 000010
【図９】
2010178131.tif 000011
【図１０】
2010178131.tif 000012
【図１１】
2010178131.tif 000013